(57)【要約】  記録後に改めて画像情報を表示する際に該画像情報に関して必要となる文字情報を表示することができる処理装置、処理方法及び処理プログラムを提供すること。光源一体型プロセッサ３は、撮像素子２５から入力される撮像信号に基づいて画像情報を生成する画像処理部３３と、画像処理部３３が生成した画像情報に関する全ての文字情報を生成する文字情報生成部３４と、該画像情報と該文字情報とを合成可能であって、画像情報及び文字情報を基に表示用画像情報を生成する画像生成部３５と、画像生成部３５の合成処理を制御する画像生成制御部３１１と、表示用画像情報を第１表示装置５に表示させる表示制御部３１２と、画像処理部３３が生成した画像情報の記録を指示する記録指示情報が入力された場合に画像情報に該画像情報に関する全ての文字情報を付加して記録部３６に記録させる記録制御部３１３と、を備える。
2017026277.tif 000002
【特許請求の範囲】
【請求項１】
被写体を撮像する撮像装置から入力される撮像信号に基づいて画像情報を生成する画像情報生成部と、
前記画像情報生成部が生成した前記画像情報に関する全ての文字情報を生成する文字情報生成部と、
前記画像情報生成部が生成した前記画像情報と、前記文字情報生成部が生成した前記文字情報とを基に表示用画像情報を生成する表示用画像生成部と、
前記表示用画像生成部における前記画像情報に対する前記文字情報の合成を制御する画像生成制御部と、
前記画像情報生成部が生成した画像情報の記録を指示する記録指示情報が入力装置から入力された場合に、前記画像情報に関する全ての文字情報を前記画像情報に付加した情報を生成する記録用画像生成部と、
を備えたことを特徴とする処理装置。
【請求項２】
前記記録用画像生成部は、前記画像情報と前記画像情報に関する全ての前記文字情報とを対応付けた記録用情報を生成することを特徴とする請求項１に記載の処理装置。
【請求項３】
前記記録用画像生成部は、前記画像情報と前記画像情報に関する全ての文字情報とを合成した記録用合成画像情報を生成することを特徴とする請求項１に記載の処理装置。
【請求項４】
前記記録用画像生成部は、前記記録用合成画像情報に、該記録用合成画像情報において前記画像情報が占める領域と前記全ての文字情報が占める領域とをそれぞれ示したレイアウト情報を対応付けた記録用情報を生成することを特徴とする請求項３に記載の処理装置。
【請求項５】
前記記録用画像生成部は、
前記画像情報と前記画像情報に関する全ての文字情報とを対応付けた記録用情報を生成する第１記録用画像生成部と、
前記画像情報と前記画像情報に関する全ての文字情報とを合成した記録用合成画像情報を生成する第２記録用画像生成部と、
を有し、
前記記録指示情報が入力された場合に、前記第１記録用画像生成部と前記第２記録用画像生成部とのいずれかを選択して前記画像情報に関する全ての文字情報を画像情報に付加した情報を生成させる選択部をさらに備えたことを特徴とする請求項１に記載の処理装置。
【請求項６】
前記記録指示情報が入力装置から入力された場合に、前記記録用画像生成部が生成した前記画像情報に関する全ての文字情報を画像情報に付加した情報を、前記記録指示情報において指示された記録装置に記録させる記録制御部をさらに備えたことを特徴とする請求項１に記載の処理装置。
【請求項７】
前記撮像装置は、当該処理装置に着脱自在に装着される内視鏡装置であることを特徴とする請求項１に記載の処理装置。
【請求項８】
画像情報と前記画像情報に付加された前記画像情報に関する全ての文字情報とを処理する処理装置であって、
処理対象の前記画像情報と画像情報に付加された全ての文字情報とを基に表示用画像情報を生成する表示用画像生成部と、
前記表示用画像生成部に、画像表示時の文字の表示或いは非表示の設定に対応した前記表示用画像情報を生成させる画像生成制御部と、
前記表示用画像生成部が生成した表示用画像情報を、当該処理装置が接続する表示装置に表示させる表示制御部と、
を備えたことを特徴とする処理装置。
【請求項９】
前記処理対象の画像情報と画像情報に付加された全ての文字情報とは、前記画像情報と前記画像情報に関する全ての文字情報とが対応付けられており、
前記画像生成制御部は、画像表示時の文字の表示が設定された場合、前記表示用画像生成部に、前記全ての文字情報を前記画像情報に合成した合成画像を表示用画像情報として生成させ、画像表示時の文字の非表示が設定された場合、前記表示用画像生成部に、前記画像情報を表示用画像情報として生成させることを特徴とする請求項８に記載の処理装置。
【請求項１０】
前記画像生成制御部は、画像表示時の文字の一部表示が設定された場合には、前記表示用画像生成部に、前記全ての文字情報のうち表示が設定された文字情報を前記画像情報に合成した合成画像を表示用画像情報として生成させることを特徴とする請求項９に記載の処理装置。
【請求項１１】
前記処理対象の画像情報と画像情報に付加された全ての文字情報とは、前記画像情報と前記画像情報に関する全ての文字情報とを合成した記録用合成画像情報であり、
前記画像生成制御部は、画像表示時の文字の表示が設定された場合、前記表示用画像生成部に、処理対象の前記記録用合成画像情報を表示用画像情報として生成させ、画像表示時の文字の非表示が設定された場合、前記表示用画像生成部に、処理対象の前記記録用合成画像情報の前記全ての文字情報が占める領域にマスク画像を合成した合成画像を表示用画像情報として生成させることを特徴とする請求項８に記載の処理装置。
【請求項１２】
前記記録用合成画像情報には、該記録用合成画像情報において前記画像情報が占める領域と前記全ての文字情報が占める領域とをそれぞれ示したレイアウト情報が対応付けられており、
前記画像生成制御部は、画像表示時の文字の非表示が設定された場合には、前記表示用画像生成部に、前記記録用合成画像情報に対して、前記レイアウト情報で示された前記全ての文字情報が占める領域にマスク画像を合成した表示用画像情報を生成させることを特徴とする請求項１１に記載の処理装置。
【請求項１３】
前記画像生成制御部は、画像表示時の文字の一部表示が設定された場合には、前記表示用画像生成部に、前記記録用合成画像情報に対して、前記レイアウト情報で示された前記全ての文字情報が占める領域のうち一部表示が設定された文字情報が占める領域以外の領域にマスク画像を合成した表示用画像情報を生成させることを特徴とする請求項１２に記載の処理装置。
【請求項１４】
前記処理対象の画像情報と画像情報に付加された全ての文字情報とは、前記画像情報と前記画像情報に関する全ての文字情報とを対応付けた第１の形態、或いは、前記画像情報と前記画像情報に関する全ての文字情報とを合成した記録用合成画像情報の第２の形態を有し、
前記処理対象の画像情報と画像情報に付加された全ての文字情報との形態が前記第１の形態と前記第２の形態とのいずれであるかを判別する判別部をさらに備え、
前記画像生成制御部は、
前記判別部によって前記処理対象の画像情報と画像情報に付加された全ての文字情報との形態が前記第１の形態であると判別された場合、画像表示時の文字の表示が設定されたときには、前記表示用画像生成部に、前記全ての文字情報を前記画像情報に合成した合成画像を表示用画像情報として生成させ、画像表示時の文字の非表示が設定されたときには、前記表示用画像生成部に、前記画像情報を表示用画像情報として生成させる第１画像生成制御部と、
前記判別部によって前記処理対象の画像情報と画像情報に付加された全ての文字情報との形態が前記第２の形態であると判別された場合、画像表示時の文字の表示が設定されたときには、前記表示用画像生成部に、前記処理対象の記録用合成画像情報を表示用画像情報として生成させ、画像表示時の文字の非表示が設定されたときには、前記表示用画像生成部に、前記処理対象の記録用合成画像情報の前記全ての文字情報が占める領域にマスク画像を合成した合成画像を表示用画像情報として生成させる第２画像生成制御部と、
を備えたことを特徴とする請求項８に記載の処理装置。
【請求項１５】
処理対象の前記画像情報は、撮像素子を備えた内視鏡装置によって撮像された撮像信号に基づく画像情報であることを特徴とする請求項８に記載の処理装置。
【請求項１６】
被写体を撮像する撮像装置から入力される撮像信号に基づいて画像情報を生成する画像情報生成部と、
前記画像情報生成部が生成した前記画像情報に関する全ての文字情報を生成する文字情報生成部と、
前記画像情報生成部が生成した画像情報の記録を指示する記録指示情報が入力装置から入力された場合に、前記画像情報に関する全ての文字情報を前記画像情報に付加した情報を生成する記録用画像生成部と、
前記画像情報生成部が生成した前記画像情報及び前記文字情報生成部が生成した前記文字情報、または、前記記録用画像生成部が生成した前記画像情報に関する全ての文字情報を画像情報に付加した情報、を基に表示用画像情報を生成する表示用画像生成部と、
前記表示用画像生成部における前記表示用画像情報の生成を制御する画像生成制御部と、
を備えたことを特徴とする処理装置。
【請求項１７】
被写体を撮像する撮像装置から入力される撮像信号を処理する処理装置が実行する処理方法であって、
画像情報生成部が、前記撮像信号に基づいて画像情報を生成する画像情報生成処理と、
文字情報生成部が、前記画像情報生成処理において生成された前記画像情報に関する全ての文字情報を生成する文字情報生成処理と、
画像生成制御部が、前記画像情報生成処理において生成された前記画像情報と前記文字情報生成処理において生成された前記文字情報とを基に表示用画像情報を生成する表示用画像生成部に対して、前記画像情報に対する前記文字情報の合成を制御する画像生成制御処理と、
記録用画像生成部が、前記画像情報生成処理において生成された画像情報の記録を指示する記録指示情報が入力装置から入力された場合に、前記画像情報に関する全ての文字情報を前記画像情報に付加した情報を生成する記録用画像生成処理と、
を含むことを特徴とする処理方法。
【請求項１８】
画像情報と前記画像情報に付加された前記画像情報に関する全ての文字情報とを処理する処理装置が実行する処理方法であって、
画像生成制御部が、処理対象の前記画像情報と画像情報に付加された全ての文字情報とを基に表示用画像情報を生成する表示用画像生成部に対して、画像表示時の文字の表示或いは非表示の設定に対応した前記表示用画像情報を生成させる表示用画像生成制御処理と、
表示制御部が、前記表示用画像生成制御処理において生成された表示用画像情報を、当該処理装置が接続する表示装置に表示させる表示制御処理と、
を含むことを特徴とする処理方法。
【請求項１９】
被写体を撮像する撮像装置から入力される撮像信号を処理する処理装置に、
画像情報生成部が、前記撮像信号に基づいて画像情報を生成する画像情報生成手順と、
文字情報生成部が、前記画像情報生成手順において生成された前記画像情報に関する全ての文字情報を生成する文字情報生成手順と、
画像生成制御部が、前記画像情報生成手順において生成された前記画像情報と前記文字情報生成手順において生成された前記文字情報とを基に表示用画像情報を生成する表示用画像生成部に対して、前記画像情報に対する前記文字情報の合成を制御する画像生成制御手順と、
記録用画像生成部が、前記画像情報生成手順において生成された画像情報の記録を指示する記録指示情報が入力装置から入力された場合に、前記画像情報に関する全ての文字情報を前記画像情報に付加した情報を生成する記録用画像生成手順と、
を実行させることを特徴とする処理プログラム。
【請求項２０】
画像情報と前記画像情報に付加された該画像情報に関する全ての文字情報とを処理する処理装置に、
画像生成制御部が、処理対象の前記画像情報と画像情報に付加された全ての文字情報とを基に表示用画像情報を生成する表示用画像生成部に対して、画像表示時の文字の表示或いは非表示の設定に対応した前記表示用画像情報を生成させる表示用画像生成制御手順と、
表示制御部が、前記表示用画像生成制御手順において生成された表示用画像情報を、当該処理装置が接続する表示装置に表示させる表示制御手順と、
を実行させることを特徴とする処理プログラム。
【発明の詳細な説明】
【技術分野】
【０００１】
本発明は、入力された信号を処理する処理装置、処理方法及び処理プログラムに関する。
【背景技術】
【０００２】
医療分野においては、被検体内部の検査のために内視鏡システムが用いられている。内視鏡システムは、一般に、患者等の被検体内に細長形状をなす可撓性の挿入部を挿入し、この挿入部先端から照明光を照明し、この照明光の反射光を挿入部先端の撮像部で受光することによって、体内画像を順次撮像する。このように撮像された一連の複数の体内画像は、処理装置で所定の画像処理が施された後、ほぼリアルタイムで、この内視鏡システムのディスプレイに動画像形式の画像（ライブ画像）として表示される。医師等は、ディスプレイに表示されたライブ画像を通じて生体内を観察しながら、検査を行う。医師等によって内視鏡の操作部に設けられたレリーズスイッチが押されると、処理装置では、レリーズスイッチが押されたタイミングで、ディスプレイに表示されていたライブ画像の静止画像情報（レリーズ画像情報）を生成し、生成したレリーズ画像情報をデータベース等に記録する。【０００３】
従来、ディスプレイに表示させるライブ画像に患者情報等の文字情報の重畳の有無を切り替えることができる内視鏡システムが提案されている（例えば、特許文献１参照）。特許文献１に記載される技術では、ディスプレイの出力に応じて文字情報を記録する。
【先行技術文献】
【特許文献】
【０００４】
【特許文献１】特開２００８−０３５８８１号公報
【発明の概要】
【発明が解決しようとする課題】
【０００５】
しかしながら、特許文献１記載の技術では、ディスプレイのライブ画像に文字情報を重畳するように切り替えた場合には、文字情報が重畳されたレリーズ画像情報が記録されるのに対し、ディスプレイ上のライブ画像に文字情報を重畳しないように切り替えた場合には、文字情報の重畳がないレリーズ画像情報が記録される。このため、文字情報の重畳がないディスプレイ上のライブ画像に対応して文字情報の重畳がないレリーズ画像情報を記録した場合には、記録後に改めてレリーズ画像情報を閲覧するにあたって、該レリーズ画像情報に関する文字情報を確認することができなかった。また、文字情報を重畳したディスプレイ上のライブ画像に対応して文字情報を重畳したレリーズ画像情報を記録した場合には、診断書作成等でレリーズ画像情報を使用したい際に不要な文字情報が必ず表示されてしまい、画像情報のみを取得するには、操作者がレリーズ画像情報を加工する必要があった。【０００６】
本発明は、上記に鑑みてなされたものであって、記録後に改めて画像情報を表示する際に該画像情報に関して必要となる文字情報を記録時の表示態様によらず表示することができる処理装置、処理方法及び処理プログラムを提供することを目的とする。
【課題を解決するための手段】
【０００７】
上述した課題を解決し、目的を達成するために、本発明にかかる処理装置は、被写体を撮像する撮像装置から入力される撮像信号に基づいて画像情報を生成する画像情報生成部と、前記画像情報生成部が生成した前記画像情報に関する全ての文字情報を生成する文字情報生成部と、前記画像情報生成部が生成した前記画像情報と、前記文字情報生成部が生成した前記文字情報とを基に表示用画像情報を生成する表示用画像生成部と、前記表示用画像生成部における前記画像情報に対する前記文字情報の合成を制御する画像生成制御部と、前記画像情報生成部が生成した画像情報の記録を指示する記録指示情報が入力装置から入力された場合に、前記画像情報に関する全ての文字情報を前記画像情報に付加した情報を生成する記録用画像生成部と、を備えたことを特徴とする。【０００８】
また、本発明にかかる処理装置は、前記記録用画像生成部は、前記画像情報と前記画像情報に関する全ての前記文字情報とを対応付けた記録用情報を生成することを特徴とする。【０００９】
また、本発明にかかる処理装置は、前記記録用画像生成部は、前記画像情報と前記画像情報に関する全ての文字情報とを合成した記録用合成画像情報を生成することを特徴とする。【００１０】
また、本発明にかかる処理装置は、前記記録用画像生成部は、前記記録用合成画像情報に、該記録用合成画像情報において前記画像情報が占める領域と前記全ての文字情報が占める領域とをそれぞれ示したレイアウト情報を対応付けた記録用情報を生成することを特徴とする。【００１１】
また、本発明にかかる処理装置は、前記記録用画像生成部は、前記画像情報と前記画像情報に関する全ての文字情報とを対応付けた記録用情報を生成する第１記録用画像生成部と、前記画像情報と前記画像情報に関する全ての文字情報とを合成した記録用合成画像情報を生成する第２記録用画像生成部と、を有し、前記記録指示情報が入力された場合に、前記第１記録用画像生成部と前記第２記録用画像生成部とのいずれかを選択して前記画像情報に関する全ての文字情報を画像情報に付加した情報を生成させる選択部をさらに備えたことを特徴とする。【００１２】
また、本発明にかかる処理装置は、前記記録指示情報が入力装置から入力された場合に、前記記録用画像生成部が生成した前記画像情報に関する全ての文字情報を画像情報に付加した情報を、前記記録指示情報において指示された記録装置に記録させる記録制御部をさらに備えたことを特徴とする。【００１３】
また、本発明にかかる処理装置は、前記撮像装置は、当該処理装置に着脱自在に装着される内視鏡装置であることを特徴とする。【００１４】
また、本発明にかかる処理装置は、画像情報と前記画像情報に付加された前記画像情報に関する全ての文字情報とを処理する処理装置であって、処理対象の前記画像情報と画像情報に付加された全ての文字情報とを基に表示用画像情報を生成する表示用画像生成部と、前記表示用画像生成部に、画像表示時の文字の表示或いは非表示の設定に対応した前記表示用画像情報を生成させる画像生成制御部と、前記表示用画像生成部が生成した表示用画像情報を、当該処理装置が接続する表示装置に表示させる表示制御部と、を備えたことを特徴とする。【００１５】
また、本発明にかかる処理装置は、前記処理対象の画像情報と画像情報に付加された全ての文字情報とは、前記画像情報と前記画像情報に関する全ての文字情報とが対応付けられており、前記画像生成制御部は、画像表示時の文字の表示が設定された場合、前記表示用画像生成部に、前記全ての文字情報を前記画像情報に合成した合成画像を表示用画像情報として生成させ、画像表示時の文字の非表示が設定された場合、前記表示用画像生成部に、前記画像情報を表示用画像情報として生成させることを特徴とする。【００１６】
また、本発明にかかる処理装置は、前記画像生成制御部は、画像表示時の文字の一部表示が設定された場合には、前記表示用画像生成部に、前記全ての文字情報のうち表示が設定された文字情報を前記画像情報に合成した合成画像を表示用画像情報として生成させることを特徴とする。【００１７】
また、本発明にかかる処理装置は、前記処理対象の画像情報と画像情報に付加された全ての文字情報とは、前記画像情報と前記画像情報に関する全ての文字情報とを合成した記録用合成画像情報であり、前記画像生成制御部は、画像表示時の文字の表示が設定された場合、前記表示用画像生成部に、処理対象の前記記録用合成画像情報を表示用画像情報として生成させ、画像表示時の文字の非表示が設定された場合、前記表示用画像生成部に、処理対象の前記記録用合成画像情報の前記全ての文字情報が占める領域にマスク画像を合成した合成画像を表示用画像情報として生成させることを特徴とする。【００１８】
また、本発明にかかる処理装置は、前記記録用合成画像情報には、該記録用合成画像情報において前記画像情報が占める領域と前記全ての文字情報が占める領域とをそれぞれ示したレイアウト情報が対応付けられており、前記画像生成制御部は、画像表示時の文字の非表示が設定された場合には、前記表示用画像生成部に、前記記録用合成画像情報に対して、前記レイアウト情報で示された前記全ての文字情報が占める領域にマスク画像を合成した表示用画像情報を生成させることを特徴とする。【００１９】
また、本発明にかかる処理装置は、前記画像生成制御部は、画像表示時の文字の一部表示が設定された場合には、前記表示用画像生成部に、前記記録用合成画像情報に対して、前記レイアウト情報で示された前記全ての文字情報が占める領域のうち一部表示が設定された文字情報が占める領域以外の領域にマスク画像を合成した表示用画像情報を生成させることを特徴とする。【００２０】
また、本発明にかかる処理装置は、前記処理対象の画像情報と画像情報に付加された全ての文字情報とは、前記画像情報と前記画像情報に関する全ての文字情報とを対応付けた第１の形態、或いは、前記画像情報と前記画像情報に関する全ての文字情報とを合成した記録用合成画像情報の第２の形態を有し、前記処理対象の画像情報と画像情報に付加された全ての文字情報との形態が前記第１の形態と前記第２の形態とのいずれであるかを判別する判別部をさらに備え、前記画像生成制御部は、前記判別部によって前記処理対象の画像情報と画像情報に付加された全ての文字情報との形態が前記第１の形態であると判別された場合、画像表示時の文字の表示が設定されたときには、前記表示用画像生成部に、前記全ての文字情報を前記画像情報に合成した合成画像を表示用画像情報として生成させ、画像表示時の文字の非表示が設定されたときには、前記表示用画像生成部に、前記画像情報を表示用画像情報として生成させる第１画像生成制御部と、前記判別部によって前記処理対象の画像情報と画像情報に付加された全ての文字情報との形態が前記第２の形態であると判別された場合、画像表示時の文字の表示が設定されたときには、前記表示用画像生成部に、前記処理対象の記録用合成画像情報を表示用画像情報として生成させ、画像表示時の文字の非表示が設定されたときには、前記表示用画像生成部に、前記処理対象の記録用合成画像情報の前記全ての文字情報が占める領域にマスク画像を合成した合成画像を表示用画像情報として生成させる第２画像生成制御部と、を備えたことを特徴とする。【００２１】
また、本発明にかかる処理装置は、処理対象の前記画像情報は、撮像素子を備えた内視鏡装置によって撮像された撮像信号に基づく画像情報であることを特徴とする。【００２２】
また、本発明にかかる処理装置は、被写体を撮像する撮像装置から入力される撮像信号に基づいて画像情報を生成する画像情報生成部と、前記画像情報生成部が生成した前記画像情報に関する全ての文字情報を生成する文字情報生成部と、前記画像情報生成部が生成した画像情報の記録を指示する記録指示情報が入力装置から入力された場合に、前記画像情報に関する全ての文字情報を前記画像情報に付加した情報を生成する記録用画像生成部と、前記画像情報生成部が生成した前記画像情報及び前記文字情報生成部が生成した前記文字情報、または、前記記録用画像生成部が生成した前記画像情報に関する全ての文字情報を画像情報に付加した情報、を基に表示用画像情報を生成する表示用画像生成部と、前記表示用画像生成部における前記表示用画像情報の生成を制御する画像生成制御部と、を備えたことを特徴とする。【００２３】
また、本発明にかかる処理方法は、被写体を撮像する撮像装置から入力される撮像信号を処理する処理装置が実行する処理方法であって、画像情報生成部が、前記撮像信号に基づいて画像情報を生成する画像情報生成処理と、文字情報生成部が、前記画像情報生成処理において生成された前記画像情報に関する全ての文字情報を生成する文字情報生成処理と、画像生成制御部が、前記画像情報生成処理において生成された前記画像情報と前記文字情報生成処理において生成された前記文字情報とを基に表示用画像情報を生成する表示用画像生成部に対して、前記画像情報に対する前記文字情報の合成を制御する画像生成制御処理と、記録用画像生成部が、前記画像情報生成処理において生成された画像情報の記録を指示する記録指示情報が入力装置から入力された場合に、前記画像情報に関する全ての文字情報を前記画像情報に付加した情報を生成する記録用画像生成処理と、を含むことを特徴とする。【００２４】
また、本発明にかかる処理方法は、画像情報と前記画像情報に付加された前記画像情報に関する全ての文字情報とを処理する処理装置が実行する処理方法であって、画像生成制御部が、処理対象の前記画像情報と画像情報に付加された全ての文字情報とを基に表示用画像情報を生成する表示用画像生成部に対して、画像表示時の文字の表示或いは非表示の設定に対応した前記表示用画像情報を生成させる表示用画像生成制御処理と、表示制御部が、前記表示用画像生成制御処理において生成された表示用画像情報を、当該処理装置が接続する表示装置に表示させる表示制御処理と、を含むことを特徴とする。【００２５】
また、本発明にかかる処理プログラムは、被写体を撮像する撮像装置から入力される撮像信号を処理する処理装置に、画像情報生成部が、前記撮像信号に基づいて画像情報を生成する画像情報生成手順と、文字情報生成部が、前記画像情報生成手順において生成された前記画像情報に関する全ての文字情報を生成する文字情報生成手順と、画像生成制御部が、前記画像情報生成手順において生成された前記画像情報と前記文字情報生成手順において生成された前記文字情報とを基に表示用画像情報を生成する表示用画像生成部に対して、前記画像情報に対する前記文字情報の合成を制御する画像生成制御手順と、記録用画像生成部が、前記画像情報生成手順において生成された画像情報の記録を指示する記録指示情報が入力装置から入力された場合に、前記画像情報に関する全ての文字情報を前記画像情報に付加した情報を生成する記録用画像生成手順と、を実行させることを特徴とする。【００２６】
また、本発明にかかる処理プログラムは、画像情報と前記画像情報に付加された該画像情報に関する全ての文字情報とを処理する処理装置に、画像生成制御部が、処理対象の前記画像情報と画像情報に付加された全ての文字情報とを基に表示用画像情報を生成する表示用画像生成部に対して、画像表示時の文字の表示或いは非表示の設定に対応した前記表示用画像情報を生成させる表示用画像生成制御手順と、表示制御部が、前記表示用画像生成制御手順において生成された表示用画像情報を、当該処理装置が接続する表示装置に表示させる表示制御手順と、を実行させることを特徴とする。
【発明の効果】
【００２７】
本発明によれば、記録後に改めて画像情報を表示する際に該画像情報に関して必要となる文字情報を記録時の表示態様によらず表示することができる。
【図面の簡単な説明】
【００２８】
【図１】図１は、本発明の実施の形態１における内視鏡システムの概略構成を示す模式図である。
【図２】図２は、図１に示す内視鏡及び光源一体型プロセッサの構成を示す模式図である。
【図３】図３は、図１に示す画像表示装置の構成を示す模式図である。
【図４】図４は、図１に示す光源一体型プロセッサが内視鏡から入力された撮像信号に対して実行する処理の処理手順を示すフローチャートである。
【図５】図５は、図１に示す画像表示装置が画像表示を指示されたレリーズ画像情報を第２表示装置に表示させる処理の処理手順を示すフローチャートである。
【図６】図６は、図２に示す第１表示装置に表示されるライブ画像の一例を示す図である。
【図７】図７は、図２に示す記録部に記録される組情報と、図３に示す画像表示装置において生成される表示用画像情報との一例を示す図である。
【図８】図８は、図２に示す記録部に記録される組情報と、図３に示す画像表示装置において生成される表示用画像情報との一例を示す図である。
【図９】図９は、図２に示す第１表示装置に表示されるライブ画像の他の例を示す図である。
【図１０】図１０は、図２に示す記録部に記録される組情報と、図３に示す画像表示装置において生成される表示用画像情報との一例を示す図である。
【図１１】図１１は、図２に示す記録部に記録される組情報と、図３に示す画像表示装置において生成される表示用画像情報との一例を示す図である。
【図１２】図１２は、図２に示す記録部に記録される組情報と、図３に示す画像表示装置において生成される表示用画像情報との一例を示す図である。
【図１３】図１３は、実施の形態２における内視鏡及び光源一体型プロセッサの構成を示す模式図である。
【図１４】図１４は、実施の形態２における画像表示装置の構成を示す模式図である。
【図１５】図１５は、図１３に示す光源一体型プロセッサが内視鏡から入力された撮像信号に対して実行する処理の処理手順を示すフローチャートである。
【図１６】図１６は、図１３に示す記録部に記録される組情報と、図１４に示す画像表示装置において生成される表示用画像情報との一例を示す図である。
【図１７】図１７は、図１４に示す画像表示装置が画像表示を指示された画像情報を第２表示装置に表示させる処理の処理手順を示すフローチャートである。
【図１８】図１８は、図１４に示す画像表示装置において生成される表示用画像情報の一例を示す図である。
【図１９】図１９は、実施の形態３における内視鏡及び光源一体型プロセッサの構成を示す模式図である。
【図２０】図２０は、実施の形態３における画像表示装置の構成を示す模式図である。
【図２１】図２１は、図１９に示す光源一体型プロセッサが内視鏡から入力された撮像信号に対して実行する処理の処理手順を示すフローチャートである。
【図２２】図２２は、図２０に示す画像表示装置が画像表示を指示された画像情報を第２表示装置に表示させる処理の処理手順を示すフローチャートである。
【図２３】図２３は、実施の形態４における内視鏡及び光源一体型プロセッサの構成を示す模式図である。
【図２４】図２４は、実施の形態４の変形例１における内視鏡及び光源一体型プロセッサの構成を示す模式図である。
【図２５】図２５は、実施の形態４の変形例２における内視鏡及び光源一体型プロセッサの構成を示す模式図である。
【発明を実施するための形態】
【００２９】
以下の説明では、本発明を実施するための形態（以下、「実施の形態」という）として、光源一体型の内視鏡システムの処理装置（プロセッサ）について説明する。また、この実施の形態により、この発明が限定されるものではない。さらに、図面の記載において、同一部分には同一の符号を付している。
【００３０】
（実施の形態１）
図１は、本発明の実施の形態１にかかる内視鏡システムの概略構成を示す模式図である。図１に示すように、本実施の形態１にかかる内視鏡システム１は、内視鏡２、光源一体型プロセッサ３（処理装置）、第１入力装置４、第１表示装置５、画像表示装置７、第２入力装置８及び第２表示装置９を備える。光源一体型プロセッサ３及び画像表示装置７は、ネットワーク６を介してそれぞれ通信可能に接続する。
【００３１】
内視鏡２は、被検体内に導入され、被検体の体内を撮像して被検体内の撮像信号を生成する。内視鏡２は、被検体内に挿入される挿入部２１と、挿入部２１の基端部側であって術者が把持する操作部２２と、操作部２２より延伸する可撓性のユニバーサルコード２３と、を備える。 
【００３２】
挿入部２１は、照明ファイバ（ライトガイドケーブル）及び電気ケーブル等を用いて実現される。挿入部２１は、被検体内を撮像する撮像素子を有する先端部２１ａと、複数の湾曲駒によって構成された湾曲自在な湾曲部２１ｂと、湾曲部２１ｂの基端部側に設けられた可撓性を有する可撓管部２１ｃと、を有する。先端部２１ａには、照明レンズを介して被検体内を照明する照明部、被検体内を撮像する観察部、処理具用チャンネルを連通する開口部２１ｄ及び送気・送水用ノズル（図示せず）が設けられている。 
【００３３】
操作部２２は、湾曲部２１ｂを上下方向及び左右方向に湾曲させる湾曲ノブ２２ａと、被検体の体腔内に生体鉗子、レーザメス等の処置具が挿入される処置具挿入部２２ｂと、光源一体型プロセッサ３、送気装置、送水装置及び送ガス装置等の周辺機器の操作を行う複数のスイッチ部２２ｃと、を有する。処置具挿入部２２ｂから挿入された処置具は、内部に設けられた処置具用チャンネルを経て挿入部２１先端の開口部２１ｄから表出する。スイッチ部２２ｃは、レリーズスイッチを含み、内視鏡検査中にレリーズスイッチが押圧された場合には、後述する光源一体型プロセッサ３の制御部３１にレリーズ情報（記録指示情報）を入力する。レリーズ情報は、後述する画像処理部３３（画像情報生成部）が順次生成する画像情報を基に、押圧された際に第１表示装置５に表示されていた画像（ライブ画像）に対応する静止画像情報（レリーズ画像情報）を生成し、該生成したレリーズ画像情報の記録を指示する指示情報である。なお、レリーズ情報は、内視鏡２に限らず、第１入力装置４から入力されることも可能である。
【００３４】
ユニバーサルコード２３は、照明ファイバ及び電気ケーブル等を用いて構成される。ユニバーサルコード２３は、光源一体型プロセッサ３のコネクタ３０に着脱自在なコネクタ２０を有する。ユニバーサルコード２３は、先端部２１ａに設けられた撮像素子が撮像した撮像信号を、コネクタ２０，３０を介して、光源一体型プロセッサ３に伝送する。ユニバーサルコード２３は、光源一体型プロセッサ３から出射された照明光を、コネクタ２０，３０、操作部２２及び可撓管部２１ｃを介して先端部２１ａに伝播する。 
【００３５】
光源一体型プロセッサ３は、着脱自在に内視鏡２が装着されて内視鏡２から出力される撮像信号に対して所定の表示用の画像処理を行う。光源一体型プロセッサ３は、ユニバーサルコード２３を介して入力された内視鏡２の先端部２１ａにおける撮像素子が撮像した被検体内の撮像信号に対して所定の表示用の画像処理を施す。光源一体型プロセッサ３は、ユニバーサルコード２３を介して内視鏡２の操作部２２におけるスイッチ部２２ｃから送信された各種の指示情報に基づいて、光源一体型プロセッサ３の各部を制御する。光源一体型プロセッサ３は、光源や集光レンズ等を用いて構成された後述する光源部３２を有し、光源から発した光を、コネクタ２０，３０及びユニバーサルコード２３の照明ファイバを介して接続された内視鏡２へ、被写体である被検体内へ向けて照明するための照明光として供給する。光源一体型プロセッサ３は、画像情報に関する全ての文字情報を画像情報に付加した情報を、後述する記録部３６に記録する。
【００３６】
第１入力装置４は、光源一体型プロセッサ３と接続し、各種指示情報の入力を受け付けて光源一体型プロセッサ３に指示情報を入力する。第１入力装置４は、内視鏡２による検査に関する各種指示情報の入力を受け付ける。具体的には、第１入力装置４は、被検体である患者に関する患者情報（たとえばＩＤ、生年月日、名前等）、内視鏡２の識別情報（たとえばＩＤや検査対応項目）、検査内容、及び、ライブ画像に対する文字情報の重畳の有無等の各種指示情報の入力を受け付ける。第１入力装置４は、マウス、キーボード及びタッチパネル等の操作デバイスを用いて実現される。第１入力装置４は、タッチパネルに表示されるキーボードの操作によって文字情報を入力するものであってもよい。第１入力装置４は、タブレット型ＰＣ等の可搬型端末からの遠隔操作によって指示情報を入力するものであってもよい。もちろん、各種指示情報は、第１入力装置４からではなく、光源一体型プロセッサ３のフロントパネルに設けられたボタンから光源一体型プロセッサ３の制御部３１に入力されてもよく、光源一体型プロセッサ３のフロントパネルに設けられたタッチパネルへの操作によって光源一体型プロセッサ３の制御部３１に入力されてもよい。
【００３７】
第１表示装置５は、光源一体型プロセッサ３と接続し、光源一体型プロセッサ３による画像処理後のライブ画像を順次表示出力する。第１表示装置５は、光源一体型プロセッサ３によって所定の画像処理が施された表示用画像情報に対応する画像を含む各種情報を表示する。これにより、医師等の操作者は、第１表示装置５が表示する被検体内のライブ画像を見ながら内視鏡２を操作することにより、被検体内の所望の位置の観察及び性状を判定することができる。第１表示装置５は、液晶または有機ＥＬを用いた表示ディスプレイ等を用いて構成される。
【００３８】
画像表示装置７は、光源一体型プロセッサ３の記録部３６に記録された情報を、ネットワーク６を介して受信し、表示用画像情報を生成する。画像表示装置７は、表示対象の画像情報及び文字情報を受信し、第２入力装置８から入力された指示情報に対応した画像処理を行ってから、第２表示装置９に出力する。
【００３９】
第２入力装置８は、画像表示装置７と接続し、各種指示情報の入力を受け付けて画像表示装置７に指示情報を入力する。第２入力装置８は、マウス、キーボード及びタッチパネル等の操作デバイスを用いて実現され、記録部３６に記録された情報のうち内視鏡２による画像情報を改めて表示させるための各種指示情報の入力を受け付ける。具体的には、第２入力装置８は、表示対象の画像情報を識別するための被検体である患者に関する患者情報（たとえばＩＤ、生年月日、名前等）や検査内容を示す画像表示指示情報、及び、画像表示時の文字の表示或いは非表示の設定を指示する文字表示設定情報等の各種情報の入力を受け付ける。
【００４０】
第２表示装置９は、画像表示装置７と接続し、画像表示装置７によって生成された表示用の画像情報を表示出力する。第２表示装置９は、液晶または有機ＥＬを用いた表示ディスプレイ等を用いて構成される。
【００４１】
次に、図１に示す内視鏡２及び光源一体型プロセッサ３の構成について説明する。図２は、図１に示す内視鏡２及び光源一体型プロセッサ３の構成を示す模式図である。図２では、第１入力装置４及び第１表示装置５も示す。
【００４２】
図２に示すように、内視鏡２は、被検体内に導入され、被検体の体内を撮像して被検体内の撮像信号を生成する。内視鏡２は、コネクタ２０が光源一体型プロセッサ３のコネクタ３０に接続することによって、光学的かつ電気的に光源一体型プロセッサ３に接続する。内視鏡２は、先端部２１ａに、対物レンズ２４、撮像素子２５、信号処理部２６、照明レンズ２７及びメモリ２８を有するとともに、先端から基端のコネクタ２０まで延伸する照明ファイバ（ライトガイドケーブル）及び電気ケーブルを有する。
【００４３】
対物レンズ２４は、一または複数のレンズを用いて構成され、撮像素子２５の各前段に設けられる。対物レンズ２４は、画角を変化させる光学ズーム機能及び焦点を変化させるフォーカス機能を有する。
【００４４】
撮像素子２５は、ＣＭＯＳ撮像素子やＣＣＤ撮像素子であり、受光面に、光が照射された被写体からの光を受光し、受光した光を光電変換して撮像信号を生成する複数の画素が行列状に配置される。
【００４５】
信号処理部２６は、撮像素子２５から出力された撮像信号（アナログ）に対してノイズ除去処理やクランプ処理を行うアナログ処理部及びＡ／Ｄ変換処理を行うＡ／Ｄ変換部を有し、撮像信号（デジタル）を出力する。内視鏡２が光源一体型プロセッサ３に装着される場合、撮像素子２５が生成し、信号処理部２６が処理した撮像信号（デジタル）は、電気ケーブル、コネクタ２０，３０を介して、光源一体型プロセッサ３に出力される。なお、光源一体型プロセッサ３が信号処理部２６を有する構成もある。
【００４６】
照明レンズ２７は、コネクタ２０から延伸するライトガイドケーブルの先端に位置する。内視鏡２が光源一体型プロセッサ３に装着されている場合には、後述する光源一体型プロセッサ３の光源部３２から発せられた光は、ライトガイドケーブルを経由して、内視鏡２先端の照明レンズ２７から被写体に照明される。
【００４７】
メモリ２８は、内視鏡２の識別情報、型番、撮像素子２５の種別等を記録する。メモリ２８は、ホワイトバランス（ＷＢ）調整用のパラメータ等、撮像素子２５が撮像した撮像信号に対する画像処理用の各種パラメータを記録していてもよい。内視鏡２が光源一体型プロセッサ３に装着された場合、メモリ２８が記録する各種情報は、光源一体型プロセッサ３との間の通信処理によって、光源一体型プロセッサ３の制御部３１に出力される。
【００４８】
光源一体型プロセッサ３は、着脱自在に内視鏡２が装着され、装着された内視鏡２から送信される撮像信号に対して所定の画像処理を行う。光源一体型プロセッサ３は、内視鏡２がコネクタ２０，３０を介して装着された場合には、内視鏡２に照明光を供給する。光源一体型プロセッサ３は、コネクタ３０、制御部３１、光源部３２、画像処理部３３、文字情報生成部３４、画像生成部３５、記録部３６及び通信部３７を備える。
【００４９】
コネクタ３０に、内視鏡２のコネクタ２０が嵌合することによって、内視鏡２と光源一体型プロセッサ３とが、電気的かつ光学的に接続する。
【００５０】
制御部３１は、ＣＰＵ等を用いて実現される。制御部３１は、光源一体型プロセッサ３の各構成に対する指示情報やデータの転送等を行うことによって、光源一体型プロセッサ３の各部位の処理動作を制御する。光源一体型プロセッサ３に内視鏡２が装着されている場合には、制御部３１は、各ケーブルを介して内視鏡２の撮像素子２５、信号処理部２６及びメモリ２８にそれぞれ接続し、撮像素子２５、信号処理部２６及びメモリ２８に対する制御も行う。制御部３１は、画像生成制御部３１１、表示制御部３１２、記録制御部３１３及び通信制御部３１４を有する。
【００５１】
画像生成制御部３１１は、第１入力装置４から入力されたライブ画像に対する文字情報の重畳の有無を指示する指示情報、及び、操作部２２から入力されたレリーズ情報等の各種指示情報に基づいて、画像生成部３５の画像生成処理を制御する。
【００５２】
表示制御部３１２は、画像生成部３５が生成した表示用画像情報を、第１表示装置５が表示出力可能な形式の画像情報に変換し、第１表示装置５に表示させる。表示制御部３１２は、デジタル信号からアナログ信号への変換器（ＤＡＣ）やエンコーダを備え、画像生成部３５から入力された画像情報を、例えば、デジタル信号からアナログ信号に変換し、変換したアナログ信号の画像情報をハイビジョン方式等のフォーマットに変更して、第１表示装置５へ出力する。
【００５３】
記録制御部３１３は、レリーズ情報が制御部３１に入力された場合、後述するレリーズ画像生成部３５２が生成したレリーズ画像情報に、文字情報生成部３４によって生成された、このレリーズ画像情報に関する全ての文字情報を付加させた情報を生成させ、生成させた情報の記録部３６への記録を制御する。記録制御部３１３は、レリーズ情報が入力された場合、レリーズ画像情報と該レリーズ画像情報に関する全ての文字情報とを対応付けた組情報（記録用情報）を、記録部３６に記録する。従って、記録部３６には、レリーズ画像情報Ｇ１と、該レリーズ画像情報Ｇ１に関する全ての文字情報を有する文字情報群Ｃ１とで１組となる組情報Ｐ１が、該レリーズ画像情報Ｇ１が撮像された患者のフォルダＤ１に記録される。この次にレリーズ情報が制御部３１に入力された場合には、記録制御部３１３によって、レリーズ情報の入力時に第１表示装置５に表示されていたライブ画像に対応するレリーズ画像情報Ｇ２と、該レリーズ画像情報Ｇ２に関する全ての文字情報を有する文字情報群Ｃ２とを有する組情報Ｐ２がフォルダＤ１に記録される。このように、光源一体型プロセッサ３は、レリーズ情報が入力されるごとに、レリーズ情報入力時に第１表示装置５に表示されていたライブ画像に対応するレリーズ画像情報と、該レリーズ画像情報に関する全ての文字情報とを対応付けた組情報を、記録部３６に記録する。なお、記録制御部３１３は、レリーズ画像情報と該レリーズ画像情報に関する全ての文字情報とを対応付けた情報を、この光源一体型プロセッサ３とネットワーク６で接続された外部の記録装置に記録してもよい。
【００５４】
通信制御部３１４は、後述する通信部３７における通信処理を制御する。
【００５５】
光源部３２は、光源ドライバと光源とを有し、制御部３１の制御のもと、内視鏡２に照明光を供給する。光源部３２の光源は、例えば白色光を発する白色ＬＥＤで構成される。また、光源部３２の光源は、それぞれ異なる波長帯域の光を発する複数のＬＥＤ（例えば赤色ＬＥＤ、緑色ＬＥＤ、青色ＬＥＤ）を用い、各ＬＥＤが発する光を合波して所望の色調の照明光を得るものであってもよい。また、光源部３２は、時系列で異なる色成分の光を出射する面順次式の構成を採用してもよい。また、光源部３２は、レーザ光源を用いるものであってもよい。また、光源部３２は、キセノンランプ、ハロゲンランプ等の光源と、光学フィルタ、絞り及び光源部３２の各部材を制御する光源制御部品を備えた構成であってもよい。
【００５６】
画像処理部３３は、信号処理部２６から入力された撮像信号に基づいて画像情報を生成する。画像処理部３３は、撮像素子２５の種別等に対応させて、入力された撮像信号に対し、オプティカルブラック減算（ＯＢ）処理、デモザイキング処理、ホワイトバランス（ＷＢ）調整処理、電子ズーム処理、エッジ強調処理等を行うことによって生成した画像情報を出力する。
【００５７】
文字情報生成部３４は、画像処理部３３が生成した画像情報に関する全ての文字情報を生成し、制御部３１に出力する。文字情報は、内視鏡２のメモリ２８から受信した内視鏡２の識別情報、第１入力装置４によって入力された患者情報、検査日時及び検査内容、記録部３６から読み出された各種情報、画像に関する観察情報（観察モード（ＮＢＩモード等）、強調度、明るさレベル）、光源一体型プロセッサ３が接続する第１表示装置５等の周辺機器に関する情報、光源一体型プロセッサ３の動作処理に対して選択された指示情報等、画像処理部３３が生成した画像情報に関する全ての情報である。文字情報は、制御部３１が、内視鏡２、第１入力装置４、記録部３６或いはネットワーク６を介して接続する外部装置から取得し、文字情報生成部３４に出力する。
【００５８】
画像生成部３５は、表示用画像生成部３５１と、レリーズ画像生成部３５２とを有する。
【００５９】
表示用画像生成部３５１は、画像処理部３３が生成した画像情報と、文字情報生成部３４が生成した文字情報とを合成可能であって、画像情報及び文字情報を基に表示用画像情報を生成する。表示用画像生成部３５１は、オンスクリーンディスプレイ（ＯＳＤ）処理を行う。具体的には、表示用画像生成部３５１は、ライブ画像への文字の重畳が指示された場合には、画像生成制御部３１１の制御に従って、重畳が指示された文字情報を画像情報に合成した表示用画像情報を生成する。また、表示用画像生成部３５１は、ライブ画像への文字の非重畳が指示された場合には、画像生成制御部３１１の制御に従って、画像情報のみを表示用画像情報として出力する。
【００６０】
レリーズ画像生成部３５２は、レリーズスイッチの押圧によって操作部２２からレリーズ情報が制御部３１に入力された場合、記録制御部３１３の制御に基づいて、画像処理部３３が生成した画像情報から、レリーズ情報の入力時に第１表示装置５に表示されていたライブ画像に対応するレリーズ画像情報を生成する。レリーズ画像生成部３５２は、生成したレリーズ画像情報に、文字情報生成部３４によって生成された、このレリーズ画像情報に関する全ての文字情報を付加させた記録用情報を生成する。レリーズ画像生成部３５２は、レリーズ画像情報と該レリーズ画像情報に関する全ての文字情報とを対応付けた組情報を生成する。レリーズ画像生成部３５２は、エンコード・デコード回路を含む画像処理回路によって構成される。
【００６１】
記録部３６は、揮発性メモリや不揮発性メモリを用いて実現され、光源一体型プロセッサ３を動作させるための各種プログラムを記録する。記録部３６は、光源一体型プロセッサ３の処理中の情報を一時的に記録する。記録部３６は、内視鏡２から出力された撮像信号を記録する。記録部３６は、第１表示装置５に表示するライブ画像に対するレイアウト情報３６１を、内視鏡２の種別や第１表示装置５の種別等に対応させてそれぞれ記録する。前述したように、記録部３６は、レリーズ画像情報と該レリーズ画像情報に関する全ての文字情報とを対応付けた組情報を記録する。また、記録部３６は、光源一体型プロセッサ３とは別体の、光源一体型プロセッサ３の外部から装着されるメモリカード等を用いて構成されてもよい。或いは、記録部３６は、光源一体型プロセッサ３とネットワーク６を介さずにローカルに接続された記録装置によって構成されてもよい。
【００６２】
通信部３７は、ネットワーク６を介して外部装置と通信を行う通信Ｉ／Ｆである。
【００６３】
次に、図１に示す画像表示装置７の構成について説明する。図３は、図１に示す画像表示装置７の構成を示す模式図である。図３では、記録部３６、第２入力装置８及び第２表示装置９も示す。
【００６４】
画像表示装置７は、記録部３６から読み出した情報を処理する。画像表示装置７は、通信部７１、制御部７２、表示用画像生成部７３及び記録部７４を有する。
【００６５】
通信部７１は、ネットワーク６を介して外部装置と通信を行う通信Ｉ／Ｆである。通信部７１は、画像情報と該画像情報に付加された該画像情報に関する全ての文字情報とを複数記録する記録部３６から、表示対象の画像情報と該画像情報に付加された全ての文字情報とを有する組情報を読み出す。通信部７１は、例えば、フォルダＤ１のレリーズ画像情報Ｇ１の表示を指示する指示情報が第２入力装置８によって入力された場合には、記録部３６のフォルダＤ１から、レリーズ画像情報Ｇ１を有する組情報Ｐ１を読み出す。したがって、通信部７１は、組情報Ｐ１を受信することによって、レリーズ画像情報Ｇ１とともにレリーズ画像情報Ｇ１に対応付けられた全ての文字情報群Ｃ１も受信することとなる。
【００６６】
制御部７２は、ＣＰＵ等を用いて実現される。制御部７２は、画像表示装置７の各構成に対する指示情報やデータの転送等を行うことによって、画像表示装置７の各部位の処理動作を制御する。制御部７２は、画像生成制御部７２１及び表示制御部７２２を有する。
【００６７】
画像生成制御部７２１は、第２入力装置８から入力された画像表示時の文字情報の表示或いは非表示の設定を指示する設定情報に従って、画像表示時の文字情報の表示或いは非表示の設定を行う。画像生成制御部７２１は、後述する表示用画像生成部７３に、画像表示時の文字の表示或いは非表示の設定に対応させた表示用画像情報を生成させる。
【００６８】
表示制御部７２２は、表示用画像生成部７３が生成した表示用画像情報を、第２表示装置９に表示出力可能な形式の画像情報に変換し、第２表示装置９に表示させる。表示制御部７２２は、表示制御部３１２と同様の構成及び機能を有する。
【００６９】
表示用画像生成部７３は、通信部７１が読み出した組情報における画像情報と、該画像情報に付加された全ての文字情報とを合成可能であって、該組情報を基に、画像表示時の文字情報の表示或いは非表示の設定に対応した表示用画像情報を生成する。画像生成制御部７２１は、画像表示時の文字の表示が設定された場合、表示用画像生成部７３に、全ての文字情報をレリーズ画像情報に合成した合成画像を表示用画像情報として生成させ、画像表示時の文字の非表示が設定された場合、表示用画像生成部７３に、レリーズ画像情報を表示用画像情報として生成させる。
【００７０】
記録部７４は、揮発性メモリや不揮発性メモリを用いて実現され、画像表示装置７を動作させるための各種プログラムを記録する。記録部７４は、画像表示装置７の処理中の情報を一時的に記録する。
【００７１】
図４は、光源一体型プロセッサ３が内視鏡２から入力された撮像信号に対して実行する処理の処理手順を示すフローチャートである。図４に示すように、光源一体型プロセッサ３では、制御部３１が、内視鏡２から撮像信号が入力されたか否かを判断する（ステップＳ１）。制御部３１は、撮像信号が入力されないと判断した場合（ステップＳ１：Ｎｏ）、撮像信号が入力されるまでステップＳ１の判断処理を繰り返す。
【００７２】
制御部３１が、撮像信号が入力されたと判断した場合（ステップＳ１：Ｙｅｓ）、画像処理部３３は、入力された撮像信号に基づいて画像情報を生成する画像情報生成処理を実行し（ステップＳ２）、文字情報生成部３４は、画像処理部３３が生成した画像情報に関する全ての文字情報を生成する文字情報生成処理を実行する（ステップＳ３）。
【００７３】
画像生成制御部３１１は、第１入力装置４から入力された指示情報に基づいて、ライブ画像への文字表示が指示されたか否かを判断する（ステップＳ４）。画像生成制御部３１１は、ライブ画像への文字表示が指示されたと判断した場合（ステップＳ４：Ｙｅｓ）、画像生成部３５は、表示用画像情報として、内視鏡２及び第１表示装置５に対応するレイアウトで、文字情報生成部３４が生成した文字情報のうち表示が指示された文字情報を、画像処理部３３が生成した画像情報に合成した合成画像を生成する合成画像生成処理を実行する（ステップＳ５）。画像生成制御部３１１は、ライブ画像への文字の表示が指示されていないと判断した場合（ステップＳ４：Ｎｏ）、画像生成部３５からは、表示用画像情報として、画像処理部３３が生成した画像情報が、内視鏡２及び第１表示装置５に対応するレイアウトに変換されて、表示制御部３１２に出力される。表示制御部３１２は、画像生成部３５が生成した表示用画像情報を第１表示装置５に表示させる表示制御処理を行う（ステップＳ６）。
【００７４】
記録制御部３１３は、操作部２２からレリーズ情報が入力されたか否かを判断する（ステップＳ７）。記録制御部３１３が、レリーズ情報が入力されていないと判断した場合（ステップＳ７：Ｎｏ）、内視鏡２から入力されたこの撮像信号に関する処理を終了する。記録制御部３１３が、レリーズ情報が入力されたと判断した場合（ステップＳ７：Ｙｅｓ）、レリーズ画像生成部３５２は、記録制御部３１３の制御の基、画像処理部３３が生成した画像情報から、レリーズ情報の入力時に第１表示装置５に表示されていたライブ画像に対応するレリーズ画像情報を生成するレリーズ画像生成処理を行う（ステップＳ８）。続いて、レリーズ画像生成部３５２は、生成したレリーズ画像情報と、このレリーズ画像情報に関する全ての文字情報とを対応付けて１組の組情報とした文字情報対応付け処理を行い（ステップＳ９）、記録制御部３１３は、この組情報を記録部３６に記録する記録制御処理を行う（ステップＳ１０）。これによって、第１表示装置５において表示される検査時のライブ画像の文字重畳の有無に関わらず、記録部３６には、記録を指示されたレリーズ画像情報と、このレリーズ画像情報に関する全ての文字情報とが対応付けられた１組の組情報が記録される。
【００７５】
図５は、画像表示装置７が画像表示を指示されたレリーズ画像情報を第２表示装置９に表示させる処理の処理手順を示すフローチャートである。図５に示すように、画像表示装置７では、制御部７２が、第２入力装置８による画像表示指示情報の入力の有無を基に画像表示が指示されたか否かを判断する（ステップＳ１１）。制御部７２は、画像表示指示情報の入力がなく画像表示が指示されていないと判断した場合（ステップＳ１１：Ｎｏ）、画像表示指示情報が入力されるまでステップＳ１１の判断処理を繰り返す。
【００７６】
制御部７２が、画像表示指示情報の入力を受け画像表示が指示されたと判断した場合（ステップＳ１１：Ｙｅｓ）、通信部７１は、表示対象のレリーズ画像情報と該レリーズ画像情報に付加された全ての文字情報とを有する組情報を、ネットワーク６を介して受信する情報受信処理を行う（ステップＳ１２）。
【００７７】
続いて、画像生成制御部７２１は、表示用画像生成部７３に対して、画像表示時の文字情報の表示或いは非表示の設定に対応した表示用画像情報を生成させる表示用画像生成制御処理を行う。具体的には、画像生成制御部７２１は、第２入力装置８から入力された画像表示時の文字情報の表示或いは非表示の設定を指示する設定情報を基に、表示対象のレリーズ画像情報とともに文字情報を表示するか否かを判断する（ステップＳ１３）。表示対象のレリーズ画像情報とともに文字情報を表示すると判断した場合（ステップＳ１３：Ｙｅｓ）、表示用画像生成部７３に、組情報において表示対象のレリーズ画像情報に対応付けられていた全ての文字情報をレリーズ画像情報に合成した合成画像を表示用画像情報として生成させる文字合成制御処理を行う（ステップＳ１４）。一方、画像生成制御部７２１は、表示対象のレリーズ画像情報とともに文字情報を表示しないと判断した場合（ステップＳ１３：Ｎｏ）、表示用画像生成部７３に、表示対象のレリーズ画像情報への該レリーズ画像情報に対応付けられていた文字情報の合成を実行させず、表示対象のレリーズ画像情報のみを表示用画像情報として出力させる文字非合成制御処理を行う（ステップＳ１５）。表示制御部７２２は、表示用画像生成部７３が生成した表示用画像情報を、第２表示装置９に表示出力可能な形式の画像情報に変換し、第２表示装置９に表示させる表示制御処理を行う（ステップＳ１６）。
【００７８】
図６は、第１表示装置５に表示されるライブ画像の一例を示す図である。図６に示すように、第１表示装置５に表示されるライブ画像Ｅｄは、体内画像がリアルタイムに表示される領域Ｅ１と、領域Ｅ１に表示される体内画像に対応する文字情報が表示される領域Ｅ２とを有するレイアウトで構成される。ライブ画像Ｅｄでは、例えば、領域Ｅ２内の領域Ｅ３に示される文字情報については、重畳が指示されていないため、領域Ｅ３は、空白となる。
【００７９】
図７及び図８は、光源一体型プロセッサ３によってライブ画像Ｅｄ表示時のレリーズ情報入力に対応して記録部３６に記録される組情報と、画像表示装置７において生成される表示用画像情報との一例を示す図である。光源一体型プロセッサ３では、ライブ画像Ｅｄ（図６参照）のように全ての文字情報が重畳されていないライブ画像が第１表示装置５で表示されている場合であっても、図７の（ａ）及び図８の（ａ）に示すように、ライブ画像Ｅｄで表示されていた体内画像に基づいて生成されたレリーズ画像情報Ｇ１と、該レリーズ画像情報Ｇ１に関する全ての文字情報を有する文字情報群Ｃ１とを対応付けた組情報Ｐ１を記録部３６に記録する。したがって、画像表示装置７においては、レリーズ画像情報Ｇ１の画像表示が指示された場合には、この組情報Ｐ１を読み出すことによって、レリーズ画像情報Ｇ１とともにレリーズ画像情報Ｇ１に関する全ての文字情報を取得することができる。そして、画像表示装置７の表示用画像生成部７３は、表示対象のレリーズ画像情報とともに文字情報を表示するように設定された場合には、図７の（ｂ）に示すように、レリーズ画像情報Ｇ１を領域Ｆ１に配置し、文字情報群Ｃ１の全ての文字情報を領域Ｆ２に配置した合成画像Ｆｄ１を生成する。この合成画像Ｆｄ１が第２表示装置９で表示されることによって、操作者は、検査時に文字情報が重畳されていない状態でライブ画像を確認していた場合であっても、改めてレリーズ画像情報Ｇ１を確認する際には、レリーズ画像情報Ｇ１とともにレリーズ画像情報Ｇ１に関する全ての文字情報を確認することが可能になる。
【００８０】
画像表示装置７の表示用画像生成部７３は、文字情報は表示せず表示対象のレリーズ画像情報のみを表示するように設定された場合には、図８の（ｂ）に示すように、レリーズ画像情報Ｇ１を領域Ｆ１に配置し、領域Ｆ２は空白とした合成画像Ｆｄ２を生成する。この合成画像Ｆｄ２が第２表示装置９で表示されることによって、レリーズ画像情報Ｇ１のみを画面上で表示させることもできる。
【００８１】
また、図９は、第１表示装置５に表示されるライブ画像の他の例を示す図である。図９のライブ画像Ｈｄに示すように、表示領域Ｈ１全体にライブ画像を表示させるレイアウトの場合には、文字情報を重畳表示させるとライブ画像に文字情報が重なるため、操作者は、文字情報の非表示を設定して、ライブ画像のみを第１表示装置５に表示させることも多い。図１０及び図１１は、光源一体型プロセッサ３によってライブ画像Ｈｄ表示時のレリーズ情報入力に対応して記録部３６に記録される組情報と、画像表示装置７において生成される表示用画像情報との一例を示す図である。光源一体型プロセッサ３では、ライブ画像Ｈｄ（図９参照）のように画像情報のみが表示されている場合であっても、ライブ画像Ｈｄに対応するレリーズ画像情報Ｇ１と文字情報群Ｃ１とを対応付けた組情報Ｐ１（図１０の（ａ）及び図１１の（ａ）参照）を記録部３６に記録するため、画像表示装置７において、この組情報Ｐ１を読み出すことによって、レリーズ画像情報Ｇ１とともに文字情報群Ｃ１を取得することができる。
【００８２】
同様に、表示用画像生成部７３は、文字情報を画像情報とともに表示するように設定された場合には、図１０の（ｂ）に示すように、全領域Ｊ１にレリーズ画像情報Ｇ１を表示し、レリーズ画像情報Ｇ１上の領域Ｊ２に文字情報を重畳させた合成画像Ｊｄ１を生成する。表示用画像生成部７３は、文字情報の非表示が設定された場合には、図１１の（ｂ）に示すように、領域Ｊ２には文字情報を重畳させずに、レリーズ画像情報Ｇ１を全領域Ｊ１に配置した合成画像Ｊｄ２を生成することによって、第２表示装置９にレリーズ画像情報Ｇ１が全画面で表示される。
【００８３】
このように、実施の形態１によれば、光源一体型プロセッサ３は、検査時のライブ画像の文字重畳の有無に関わらず、レリーズ情報が入力された場合には、該レリーズ情報入力時に表示されていたライブ画像に対応するレリーズ画像情報と、該レリーズ画像情報に関する全ての文字情報とを対応付けた組情報を記録部３６に記録する。このため、画像表示装置７は、表示対象のレリーズ画像情報とともにレリーズ画像情報に関する全ての文字情報も取得して第２表示装置９に表示させることが可能になるため、医師等の操作者は、記録後に改めてレリーズ画像情報を閲覧する際に、必要となる文字情報の全てを確認することができる。また、画像表示装置７では、画像表示時の文字情報の表示或いは非表示の設定もできるため、記録後のレリーズ画像情報に対しても文字情報の重畳の有無を柔軟に選択することができる。したがって、実施の形態１によれば、記録後に改めて画像情報を表示する際に該画像情報に関して必要となる文字情報を記録時の表示態様によらず表示することができ、また、記録後のレリーズ画像情報に対しても文字情報の重畳の有無を柔軟に選択することができる。
【００８４】
なお、図７では、画像表示装置７の表示用画像生成部７３が文字情報群Ｃ１の全ての文字情報を領域Ｆ２に配置した合成画像Ｆｄ１を生成した例について説明したが、操作者は、第２入力装置８を操作することによって、領域Ｆ２に配置する文字情報を自由に選択可能である。図１２は、光源一体型プロセッサ３によってライブ画像Ｅｄ表示時のレリーズ情報入力に対応して記録部３６に記録される組情報と、画像表示装置７において生成される表示用画像情報との一例を示す図である。操作者は、第２入力装置８を操作して、図１２の（ａ）の文字情報群Ｃ１における患者に関する患者情報Ｃ１ａと画像観察に関する観察情報Ｃ１ｂとのうちの患者情報Ｃ１ａを非表示として設定することもできる。この場合、画像表示装置７の表示用画像生成部７３は、図１２の（ｂ）に示すように、レリーズ画像情報Ｇ１を領域Ｆ１に配置し、文字情報群Ｃ１のうち観察情報Ｃ１ｂを領域Ｆ２に配置した合成画像Ｆｄ３を生成し、第２表示装置９に表示させる。
【００８５】
（実施の形態２）
次に、実施の形態２について説明する。実施の形態２にかかる内視鏡システムは、実施の形態１にかかる内視鏡システムと同様の概略構成を有する。図１３は、実施の形態２における内視鏡２及び光源一体型プロセッサ２０３の構成を示す模式図である。図１３では、第１入力装置４及び第１表示装置５も示す。
【００８６】
図１３に示すように、光源一体型プロセッサ２０３は、記録制御部２３１３を有する制御部２３１と、記録用合成画像生成部２３５２を有する画像生成部２３５と、を備える。制御部２３１は、図２に示す制御部３１と同様の機能を有する。
【００８７】
記録制御部２３１３は、レリーズ情報が入力された場合、記録用合成画像生成部２３５２に記録用合成画像情報を生成させ、記録用合成画像生成部２３５２が生成した記録用合成画像情報を記録部３６に記録する。記録制御部２３１３は、記録用合成画像生成部２３５２に、記録用合成画像情報に、該記録用合成画像情報において画像情報が占める領域と全ての文字情報が占める領域とをそれぞれ示したレイアウト情報を対応付けた組情報（記録用情報）を生成させる。記録制御部２３１３は、この組情報を記録部３６に記録する。したがって、記録部３６には、記録を指示された画像情報（静止画像情報）Ｂ１及び該画像情報Ｂ１に関する全ての文字情報を有する文字情報群Ｌ１が合成された記録用合成画像情報Ｍ１と、該記録用合成画像情報Ｍ１のレイアウト情報Ａ１とで１組となる組情報Ｑ１が、該画像情報Ｂ１が撮像された患者のフォルダＤ２に記録される。この次にレリーズ情報が制御部２３１に入力された場合には、記録制御部２３１３によって、レリーズ情報の入力時に第１表示装置５に表示されていたライブ画像に対応する画像情報Ｂ２及び該画像情報Ｂ２に関する全ての文字情報を有する文字情報群Ｌ２が合成された記録用合成画像情報Ｍ２と、該記録用合成画像情報Ｍ２のレイアウト情報Ａ２とで１組となる組情報Ｑ２がフォルダＤ２に記録される。記録部３６は、画像情報と該画像情報に関する全ての文字情報とを合成した記録用合成画像情報及びレイアウト情報を有する組情報を複数記録することとなる。
【００８８】
記録用合成画像生成部２３５２は、画像処理部３３が生成した画像情報と文字情報生成部３４が生成した該画像情報に関する全ての文字情報とを合成した記録用合成画像情報を生成する。記録用合成画像生成部２３５２は、操作部２２からレリーズ情報が制御部２３１に入力された場合、記録制御部２３１３の制御に基づいて、画像処理部３３が生成した画像情報であってレリーズ情報の入力時に第１表示装置５に表示されていたライブ画像に対応する画像情報と、文字情報生成部３４が生成した該画像情報に関する全ての文字情報とを合成した記録用合成画像情報を生成する。記録用合成画像生成部２３５２は、例えば、内視鏡２及び第１表示装置５に対応するレイアウトで、記録用合成画像情報を生成する。記録用合成画像生成部２３５２は、記録用合成画像情報に、該記録用合成画像情報において画像情報が占める領域と全ての文字情報が占める領域とをそれぞれ示したレイアウト情報を対応付けた組情報を生成する。
【００８９】
図１４は、実施の形態２における画像表示装置２０７の構成を示す模式図である。図１４では、記録部３６、第２入力装置８及び第２表示装置９も示す。図１４に示すように、画像表示装置２０７は、制御部７２と同様の機能を有するとともに画像生成制御部２７２１を備えた制御部２７２を有する。通信部７１は、光源一体型プロセッサ２０３から、記録部３６に記録された情報のうち、処理対象の記録用合成画像情報を含む組情報を受信することによって、処理対象の該記録用合成画像情報とともに、該記録用合成画像情報に対応付けられたレイアウト情報も読み出す。
【００９０】
画像生成制御部２７２１は、画像表示時の文字情報の表示が設定された場合、表示用画像生成部７３に、処理対象の組情報のうちの記録用合成画像情報を表示用画像情報として生成させ、画像表示時の文字の非表示が設定された場合、表示用画像生成部７３に、処理対象の記録用合成画像情報の全ての文字情報が占める領域にマスク画像を合成した合成画像を表示用画像情報として生成させる。画像生成制御部２７２１は、画像表示時の文字の非表示が設定された場合には、表示用画像生成部７３に、処理対象の記録用合成画像情報に対して、組情報に含まれるレイアウト情報で示された全ての文字情報が占める領域にマスク画像を合成した表示用画像情報を生成させる。
【００９１】
図１５は、光源一体型プロセッサ２０３が内視鏡２から入力された撮像信号に対して実行する処理の処理手順を示すフローチャートである。図１５に示すステップＳ２１〜ステップＳ２７は、図４に示すステップＳ１〜ステップＳ７である。記録制御部２３１３が、レリーズ情報が入力されたと判断した場合（ステップＳ２７：Ｙｅｓ）、記録用合成画像生成部２３５２は、記録制御部２３１３の制御の基、画像処理部３３が生成した画像情報であってレリーズ情報の入力時に第１表示装置５に表示されていたライブ画像に対応する画像情報と、文字情報生成部３４が生成した該画像情報に関する全ての文字情報とを合成した記録用合成画像情報を生成する記録用合成画像生成処理を行う（ステップＳ２８）。続いて、記録用合成画像生成部２３５２は、生成した記録用合成画像情報と該記録用合成画像情報のレイアウト情報を対応付けて１組の組情報としたレイアウト情報対応付け処理を行い（ステップＳ２９）、記録制御部２３１３は、この組情報を記録部３６に記録する記録制御処理を行う（ステップＳ３０）。図１６は、光源一体型プロセッサ２０３によって記録部３６に記録される組情報と、画像表示装置２０７において生成される表示用画像情報との一例を示す図である。図１６の（ａ）に示すように、第１表示装置５において表示される検査時のライブ画像の文字重畳の有無に関わらず、記録部３６には、記録を指示された画像情報Ｂ１及び該画像情報Ｂ１に関する全ての文字情報群Ｌ１が合成された記録用合成画像情報Ｍ１と、該記録用合成画像情報Ｍ１のレイアウト情報（不図示）とが対応付けられた１組の組情報が記録される。
【００９２】
図１７は、画像表示装置２０７が画像表示を指示された画像情報を第２表示装置９に表示させる処理の処理手順を示すフローチャートである。図１７に示すステップＳ３１は、図５に示すステップＳ１１である。制御部２７２が、画像表示が指示されたと判断した場合（ステップＳ３１：Ｙｅｓ）、通信部７１は、表示対象の画像情報に対応する組情報を光源一体型プロセッサ２０３から受信する情報受信処理を行う（ステップＳ３２）。通信部７１は、記録部３６から組情報を受信することによって、処理対象の記録用合成画像情報とともに、該記録用合成画像情報に対応付けられたレイアウト情報も受信する。図１７に示すステップＳ３３は、図５に示すステップＳ１３である。画像生成制御部２７２１は、表示対象の画像情報とともに文字情報を表示すると判断した場合には（ステップＳ３３：Ｙｅｓ）、表示用画像生成部７３に、文字情報部分にマスク画像を合成させず、処理対象の記録用合成画像情報をそのまま表示用画像情報として生成させるマスク非合成制御処理を行う（ステップＳ３４）。すなわち、表示用画像生成部７３は、図１６の（ａ）に示す記録用合成画像情報Ｍ１をそのまま表示制御部７２２に出力する。このため、表示制御部７２２による表示制御処理によって（ステップＳ３６）、記録用合成画像情報Ｍ１が第２表示装置９において表示され、操作者は、記録用合成画像情報Ｍ１を視認することによって、画像情報Ｂ１とともに、該画像情報Ｂ１に関する全ての文字情報群Ｌ１も確認することが可能になる。
【００９３】
これに対し、画像生成制御部２７２１は、表示対象の画像情報とともに文字情報を表示しないと判断した場合には（ステップＳ３３：Ｎｏ）、表示用画像生成部７３に、処理対象の記録用合成画像情報の全ての文字情報が占める領域にマスク画像を合成した合成画像を表示用画像情報として生成させるマスク合成制御処理を行う（ステップＳ３５）。全ての文字情報が占める領域は、記録用合成画像情報とともに受信されたレイアウト情報に示されている。具体的には、表示用画像生成部７３は、図１６の（ｂ）に示すように、記録用合成画像情報Ｍ１における文字情報群Ｌ１を配置する領域に、該領域と同領域の背景色で構成されたマスク画像Ｋ１（図１６の（ａ）参照）を合成した合成画像Ｎｄ１を表示用画像情報として生成する。このため、表示制御部７２２による表示制御処理によって（ステップＳ３６）、合成画像Ｎｄ１が第２表示装置９において表示される。
【００９４】
この実施の形態２のように、光源一体型プロセッサ２０３が、レリーズ情報入力時に表示されていたライブ画像に対応する静止画像情報と、該画像情報に関する全ての文字情報とを合成した記録用合成画像情報を生成して記録部３６に記録した場合も、実施の形態１と同様に、画像表示装置２０７は、表示対象の画像情報とともに画像情報に関する全ての文字情報も取得して第２表示装置９に表示させることができる。また、画像表示装置２０７は、マスク画像を合成することによって、画像表示時の文字情報の非表示の設定にも対応できる。このため、実施の形態２においても、実施の形態１と同様の効果を奏する。
【００９５】
なお、操作者は、第２入力装置８を操作することによって、表示させる文字情報を自由に選択可能である。図１８は、画像表示装置２０７において生成される表示用画像情報の一例を示す図である。操作者の第２入力装置８の操作によって、文字情報群Ｌ１のうちの明るさ情報以外の情報の表示が指示された場合には、図１８に示すように、画像生成制御部２７２１は、表示用画像生成部７３に対して、文字情報のうちの表示が指示された領域以外の領域である、明るさ情報部分のみをマスク画像Ｋ２でマスクした合成画像Ｎｄ２を生成させればよい。
【００９６】
（実施の形態３）
次に実施の形態３について説明する。実施の形態３にかかる内視鏡システムは、実施の形態１にかかる内視鏡システムと同様の概略構成を有する。図１９は、実施の形態３における内視鏡２及び光源一体型プロセッサ３０３の構成を示す模式図である。図１９では、第１入力装置４及び第１表示装置５も示す。
【００９７】
図１９に示すように、光源一体型プロセッサ３０３は、光源一体型プロセッサ３と比して、制御部３１と同様の機能を有するとともに記録制御部３３１３及び選択部３３１５を有する制御部３３１と、画像生成部３３５を備える。画像生成部３３５は、表示用画像生成部３５１及びレリーズ画像生成部３５２（第１記録用画像生成部）とともに、記録用合成画像生成部２３５２（第２記録用画像生成部）を有する。
【００９８】
選択部３３１５は、レリーズ情報が入力された場合に、レリーズ画像生成部３５２と記録用合成画像生成部２３５２とのいずれかを選択して画像情報に関する全ての文字情報を画像情報に付加した情報を生成させる。選択部３３１５がレリーズ画像生成部３５２を選択した場合には、レリーズ画像生成部３５２に、レリーズ画像情報Ｇ１を生成させ、生成させたレリーズ画像情報Ｇ１と、このレリーズ画像情報Ｇ１に関する全ての文字情報を有する文字情報群Ｃ１とを対応付けた形態（第１の形態）の組情報Ｐ１を生成させる。この組情報Ｐ１は、記録制御部３３１３によってフォルダＤ１に記録される。一方、選択部３３１５が記録用合成画像生成部２３５２を選択した場合には、記録用合成画像生成部２３５２に、画像情報Ｂ１及び該画像情報Ｂ１に関する全ての文字情報を有する文字情報群Ｌ１が合成された記録用合成画像情報Ｍ１を生成させ、生成させた記録用合成画像情報Ｍ１と、この記録用合成画像情報Ｍ１のレイアウト情報Ａ１とで１組となる形態（第２の形態）の組情報Ｑ１を生成させる。この組情報Ｑ１は、記録制御部３３１３によってフォルダＤ２に記録される。
【００９９】
図２０は、実施の形態３における画像表示装置３０７の構成を示す模式図である。図２０では、記録部３６、第２入力装置８及び第２表示装置９も示す。図２０に示すように、画像表示装置３０７は、制御部７２と同様の機能を有するとともに判別部３７２０、第１画像生成制御部３７２１Ａ、第２画像生成制御部３７２１Ｂ及び表示制御部７２２を備えた制御部３７２を有する。第１画像生成制御部３７２１Ａは、図３に示す画像生成制御部７２１と同様の機能を有し、第２画像生成制御部３７２１Ｂは、図１４に示す画像生成制御部２７２１と同様の機能を有する。
【０１００】
記録部３６は、画像情報と該画像情報に関する全ての文字情報として、画像情報と該画像情報に関する全ての文字情報とが対応付けられた第１の形態の組情報（例えば組情報Ｐ１）、或いは、画像情報と該画像情報に関する全ての文字情報とを合成した記録用合成画像情報とレイアウト情報とが対応付けられた第２の形態の組情報（例えば組情報Ｑ１）を記録する。判別部３７２０は、通信部７１が記録部３６から受信した処理対象の画像情報と画像情報に付加された全ての文字情報との形態、すなわち処理対象の画像情報に対応する組情報の形態が第１の形態と第２の形態とのいずれであるかを判別する。
【０１０１】
第１画像生成制御部３７２１Ａは、判別部３７２０によって処理対象の組情報の形態が第１の形態であると判別された場合、画像表示時の文字の表示が設定されたときには、表示用画像生成部７３に、全ての文字情報を画像情報に合成した合成画像を表示用画像情報として生成させ、画像表示時の文字の非表示が設定されたときには、表示用画像生成部７３に、画像情報を表示用画像情報として生成させる。
【０１０２】
第２画像生成制御部３７２１Ｂは、判別部３７２０によって処理対象の組情報の形態が第２の形態であると判別された場合、画像表示時の文字の表示が設定されたときには、表示用画像生成部に７３に、処理対象の記録用合成画像情報を表示用画像情報として生成させ、表示時の文字の非表示が設定されたときには、表示用画像生成部７３に、処理対象の記録用合成画像情報の全ての文字情報が占める領域にマスク画像を合成した合成画像を表示用画像情報として生成させる。
【０１０３】
図２１は、光源一体型プロセッサ３０３が内視鏡２から入力された撮像信号に対して実行する処理の処理手順を示すフローチャートである。図２１に示すステップＳ４１〜ステップＳ４７は、図４に示すステップＳ１〜ステップＳ７である。制御部３３１が、レリーズ情報が入力されたと判断した場合（ステップＳ４７：Ｙｅｓ）、選択部３３１５は、記録対象の画像情報と文字情報との記録方法として、レリーズ画像生成部３５２が生成したレリーズ画像情報Ｇ１を含む第１の形態の組情報Ｐ１を記録する第１記録方法、または、記録用合成画像生成部２３５２が生成した記録用合成画像情報ｎ１を含む第２の形態の組情報Ｑ１を記録する第２記録方法を選択する記録方法選択処理を行う（ステップＳ４８）。例えば前述した図９に示すライブ画像Ｈｄのように、表示領域Ｈ１全体にレリーズ画像情報Ｇ１を表示させるレイアウトで文字情報を重畳表示させた場合には、レリーズ画像情報Ｇ１に文字情報が重なってしまう。この場合には、選択部３３１５は、画像情報とは別個に文字情報を記録させる第１記録方法を設定する。
【０１０４】
選択部３３１５は、第１記録方法または第２記録方法のいずれを選択したかを判断する（ステップＳ４９）。選択部３３１５は、第１記録方法を選択したと判断した場合には（ステップＳ４９：第１記録方法）、レリーズ画像生成部３５２にレリーズ画像生成処理（ステップＳ５０）及び文字情報対応付け処理（ステップＳ５１）を実行させ、記録制御部３３１３は、レリーズ画像生成部３５２が生成した第１の形態の組情報を記録部３６に記録する記録制御処理を行う（ステップＳ５２）。ステップＳ５０〜ステップＳ５２は、図４に示すステップＳ８〜ステップＳ１０である。
【０１０５】
選択部３３１５は、第２記録方法を選択したと判断した場合には（ステップＳ４９：第２記録方法）、記録用合成画像生成部２３５２に、記録用合成画像生成処理（ステップＳ５３）及びレイアウト情報対応付け処理（ステップＳ５４）を実行させ、記録制御部３３１３は、記録用合成画像生成部２３５２が生成した第２の形態の組情報を記録部３６に記録する記録制御処理を行う（ステップＳ５５）。ステップＳ５３〜ステップＳ５５は、図１５に示すステップＳ２８〜ステップＳ３０である。
【０１０６】
図２２は、画像表示装置３０７が画像表示を指示された画像情報を第２表示装置９に表示させる処理の処理手順を示すフローチャートである。図２２に示すステップＳ６１及びステップＳ６２は、図５に示すステップＳ１１及びステップＳ１２である。判別部３７２０は、通信部７１がステップＳ６２において受信した組情報の形態が第１の形態と第２の形態とのいずれであるかを判別する（ステップＳ６３）。
【０１０７】
判別部３７２０が、処理対象の組情報の形態が第１の形態であると判別した場合（ステップＳ６３：第１の形態）、第１画像生成制御部３７２１Ａが表示用画像生成部７３に対する制御を行う。具体的には、第１画像生成制御部３７２１Ａが、表示対象のレリーズ画像情報とともに文字情報を表示するか否かを判断する（ステップＳ６４）。第１画像生成制御部３７２１Ａは、文字情報を表示すると判断した場合には（ステップＳ６４：Ｙｅｓ）、表示用画像生成部７３に、組情報において表示対象の画像情報に対応付けられていた全ての文字情報をレリーズ画像情報に合成した合成画像を表示用画像情報として生成させる文字合成制御処理を行う（ステップＳ６５）。一方、第１画像生成制御部３７２１Ａは、文字情報を表示しないと判断した場合には（ステップＳ６４：Ｎｏ）、表示用画像生成部７３に、表示対象のレリーズ画像情報のみを表示用画像情報として出力させる文字非合成制御処理を行う（ステップＳ６６）。
【０１０８】
判別部３７２０が、処理対象の組情報の形態が第２の形態であると判別した場合（ステップＳ６３：第２の形態）、第２画像生成制御部３７２１Ｂが表示用画像生成部７３に対する制御を行う。具体的には、第２画像生成制御部３７２１Ｂが、表示対象の画像情報とともに文字情報を表示するか否かを判断する（ステップＳ６７）。第２画像生成制御部３７２１Ｂは、文字情報を表示すると判断した場合には（ステップＳ６７：Ｙｅｓ）、表示用画像生成部７３に、処理対象の記録用合成画像情報をそのまま表示用画像情報として出力させるマスク非合成制御処理を行う（ステップＳ６８）。第２画像生成制御部３７２１Ｂは、文字情報を表示しないと判断した場合には（ステップＳ６７：Ｎｏ）、表示用画像生成部７３に、処理対象の記録用合成画像情報の全ての文字情報が占める領域にマスク画像を合成した合成画像を表示用画像情報として生成させるマスク合成制御処理を行う（ステップＳ６９）。ステップＳ７０は、図５に示すステップＳ１６である。
【０１０９】
この実施の形態３のように、光源一体型プロセッサ３０３は、組情報の記録方法を、実施の形態１で説明した第１記録方法、或いは、実施の形態２で説明した第２記録方法のいずれかに選択可能にし、より適切な方法で画像情報及び文字情報を記録できるようにしてもよい。この場合には、画像表示装置３０７も、読み出した組情報の形態に合わせて表示用画像情報の生成処理を制御することによって、操作者が所望する表示状態で画像を表示させることができる。
【０１１０】
（実施の形態４）
次に、実施の形態４について説明する。図２３は、実施の形態４における内視鏡２及び光源一体型プロセッサ４０３の構成を示す模式図である。
【０１１１】
図２３に示す光源一体型プロセッサ４０３は、実施の形態１における光源一体型プロセッサ３の記録制御機能と画像表示装置７における画像表示機能との双方を有する。光源一体型プロセッサ４０３は、図２に示す光源一体型プロセッサ３と比して、図２に示す制御部３１と同様の機能を有する制御部４３１と、表示用画像生成部４３５１を有する画像生成部４３５とを備える。制御部４３１は、図２に示す画像生成制御部３１１の機能と図３に示す画像生成制御部７２１の機能とを備えた画像生成制御部４３１１を有する。表示用画像生成部４３５１は、図２に示す表示用画像生成部３５１及び図３に示す表示用画像生成部７３の機能を有する。光源一体型プロセッサ４０３において、制御部４３１は、内視鏡２から入力された撮像素子２５に基づく画像情報の表示を第１入力装置４等による指示情報によって指示された場合には、図４に示す処理手順と同様の処理手順を行うように各部を制御する。また、制御部４３１は、記録部３６が記録する画像情報の表示を指示された場合には、図５に示す処理手順と同様の処理手順を行うように各部を制御する。
【０１１２】
この実施の形態４のように、画像情報及び文字情報を組情報として記録部３６に記録す記録機能と、記録部３６から組情報を読み出して表示させる表示機能とを、同じ光源一体型プロセッサ内に持たせることも可能である。
【０１１３】
（実施の形態４の変形例１）
図２４は、実施の形態４の変形例１における内視鏡２及び光源一体型プロセッサ５０３の構成を示す模式図である。
【０１１４】
図２４に示す光源一体型プロセッサ５０３は、実施の形態２における光源一体型プロセッサ２０３の記録制御機能と、画像表示装置２０７における画像表示機能との双方を有する。光源一体型プロセッサ５０３は、図１３に示す光源一体型プロセッサ２０３と比して、図１３に示す制御部２３１と同様の機能を有する制御部５３１と、表示用画像生成部４３５１を有する画像生成部５３５とを備える。制御部５３１は、図１３に示す画像生成制御部３１１の機能と図１４に示す画像生成制御部２７２１の機能とを備えた画像生成制御部５３１１を有する。制御部５３１は、内視鏡２から入力された撮像素子２５に基づく画像情報の表示及び記録を指示された場合には、図１５に示す処理手順と同様の処理手順を行うように各部を制御する。また、制御部５３１は、記録部３６が記録する画像情報の表示を指示された場合には、図１７に示す処理手順と同様の処理手順を行うように各部を制御する。このように、実施の形態２で説明した画像情報及び文字情報を組情報として記録部３６に記録する記録機能と、記録部３６から組情報を読み出して表示させる表示機能とを、同じ光源一体型プロセッサ内に持たせることも可能である。
【０１１５】
（実施の形態４の変形例２）
図２５は、実施の形態４の変形例２における内視鏡２及び光源一体型プロセッサ６０３の構成を示す模式図である。
【０１１６】
図２５に示す光源一体型プロセッサ６０３は、実施の形態３における光源一体型プロセッサ３０３の記録制御機能と、画像表示装置３０７における画像表示機能との双方を有する。光源一体型プロセッサ６０３は、図１９に示す光源一体型プロセッサ３０３と比して図１９に示す制御部３３１と同様の機能を有する制御部６３１と、表示用画像生成部４３５１を有する画像生成部６３５とを備える。制御部６３１は、図１９に示す画像生成制御部３１１の機能、図２０に示す第１画像生成制御部３７２１Ａの機能、及び、第２画像生成制御部３７２１Ｂの機能を備えた画像生成制御部６３１１を有する。制御部６３１は、内視鏡２から入力された撮像素子２５に基づく画像情報の表示及び記録を指示された場合には、図２１に示す処理手順と同様の処理手順を行うように各部を制御する。また、制御部６３１は、記録部３６が記録する画像情報の表示を指示された場合には、図２２に示す処理手順と同様の処理手順を行うように各部を制御する。このように、実施の形態３で説明した画像情報及び文字情報を組情報として記録部３６に記録させる記録機能と、記録部３６から組情報を読み出して表示させる表示機能とを、同じ光源一体型プロセッサ内に持たせることも可能である。
【０１１７】
また、実施の形態１〜４の光源一体型プロセッサ３〜６０３では、レリーズ画像情報、すなわち、静止画像情報と文字情報とを対応付けて記録した例を説明したが、もちろん、動画像情報と文字情報とを対応付けて記録してもよい。この場合、画像情報の全てに文字情報をそれぞれ対応付ける必要はなく、文字情報に変更があった場合の先頭の画像情報のみに文字情報を対応付けて、記録する情報量を抑制してもよい。また、実施の形態１〜４は、光源一体型プロセッサ３〜６０３に脱着可能に装着される内視鏡２の撮像素子２５が撮像信号を処理する光源一体型プロセッサ３〜６０３について説明したが、もちろん、処理対象の撮像信号は、内視鏡２の撮像素子２５が撮像したものに限らず、カプセル型内視鏡の撮像素子が撮像した撮像信号であってもよい。
【０１１８】
また、実施の形態１〜４では、光源が一体となった光源一体型プロセッサを例に説明したが、もちろん、プロセッサと光源装置とが別体である場合にも同様に適用可能である。
【０１１９】
また、実施の形態１〜４において、内視鏡２と光源一体型プロセッサ３〜６０３との間で送受信される信号は、電気信号に限らず、電気信号を変換した光信号であってもよい。この場合には、光ファイバ等の光信号用の伝送路を用いて、内視鏡２と光源一体型プロセッサ３〜６０３との間で光信号の伝送が行われる。もちろん、内視鏡２と光源一体型プロセッサ３〜６０３との間においては、有線通信に限らず、無線通信を用いて信号の送受信を行ってもよい。
【０１２０】
実施の形態１〜４では、挿入部が軟性である内視鏡が適用される内視鏡システムについて説明したが、もちろん、挿入部が硬性である内視鏡が適用される内視鏡システムでもよい。また、撮像装置として機能する内視鏡に、光源と、撮像素子及び光源を制御する制御機能とを持たせてもよい。この場合、光源は、内視鏡の挿入部先端に設けられた半導体光源等であってもよい。また、内視鏡の挿入部先端に撮像素子を設けた構成に限らず、例えば、ファイバースコープや光学視管などの光学式内視鏡の接眼部カメラヘッドを接続する構成であってもよい。
【０１２１】
また、本実施の形態にかかる光源一体型プロセッサ、単体プロセッサ、並びに、他の構成部で実行される各処理に対する実行プログラムは、インストール可能な形式または実行可能な形式のファイルでＣＤ−ＲＯＭ、フレキシブルディスク、ＣＤ−Ｒ、ＤＶＤ等のコンピュータで読み取り可能な記録媒体に記録して提供するように構成してもよく、インターネット等のネットワークに接続されたコンピュータ上に格納し、ネットワーク経由でダウンロードさせることにより提供するように構成してもよい。また、インターネット等のネットワーク経由で提供または配布するように構成してもよい。
【符号の説明】
【０１２２】
１  内視鏡システム
２  内視鏡
３，２０３，３０３，４０３，５０３，６０３  光源一体型プロセッサ
４  第１入力装置
５  第１表示装置
６  ネットワーク
７，２０７，３０７  画像表示装置
８  第２入力装置
９  第２表示装置
２０，３０  コネクタ
２１  挿入部
２１ａ  先端部
２１ｂ  湾曲部
２１ｃ  可撓管部
２１ｄ  開口部
２２  操作部
２２ａ  湾曲ノブ
２２ｂ  処置具挿入部
２２ｃ  スイッチ部
２３  ユニバーサルコード
２４  対物レンズ
２５  撮像素子
２６  信号処理部
２７  照明レンズ
２８  メモリ
３１，７２，２３１，２７２，３３１，３７２，４３１，５３１，６３１  制御部
３２  光源部
３３  画像処理部
３４  文字情報生成部
３５，２３５，３３５，４３５，５３５，６３５  画像生成部
３６，７４  記録部
３７，７１  通信部
７３  表示用画像生成部
３１１，７２１，２７２１，４３１１，５３１１，６３１１  画像生成制御部
３１２，７２２  表示制御部
３１３，２３１３，３３１３  記録制御部
３１４  通信制御部
３５１，４３５１  表示用画像生成部
３５２  レリーズ画像生成部
３６１  レイアウト情報
２３５２  記録用合成画像生成部
３３１５  選択部
３７２０  判別部
３７２１Ａ  第１画像生成制御部
３７２１Ｂ  第２画像生成制御部
【図１】
2017026277.tif 000003
【図２】
2017026277.tif 000004
【図３】
2017026277.tif 000005
【図４】
2017026277.tif 000006
【図５】
2017026277.tif 000007
【図６】
2017026277.tif 000008
【図７】
2017026277.tif 000009
【図８】
2017026277.tif 000010
【図９】
2017026277.tif 000011
【図１０】
2017026277.tif 000012
【図１１】
2017026277.tif 000013
【図１２】
2017026277.tif 000014
【図１３】
2017026277.tif 000015
【図１４】
2017026277.tif 000016
【図１５】
2017026277.tif 000017
【図１６】
2017026277.tif 000018
【図１７】
2017026277.tif 000019
【図１８】
2017026277.tif 000020
【図１９】
2017026277.tif 000021
【図２０】
2017026277.tif 000022
【図２１】
2017026277.tif 000023
【図２２】
2017026277.tif 000024
【図２３】
2017026277.tif 000025
【図２４】
2017026277.tif 000026
【図２５】
2017026277.tif 000027
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
被写体を撮像する撮像装置から入力される撮像信号に基づいて画像情報を生成する画像情報生成部と、
前記画像情報生成部が生成した前記画像情報に関する全ての文字情報を生成する文字情報生成部と、
前記画像情報生成部が生成した前記画像情報と、前記文字情報生成部が生成した前記全ての文字情報の少なくとも一部とを基に表示用画像情報を生成する表示用画像生成部と、
前記全ての文字情報から表示させる前記文字情報を選択し、前記表示用画像生成部における前記画像情報に対する前記文字情報の生成を制御する画像生成制御部と、
前記画像情報生成部が生成した前記画像情報の記録を指示する記録指示情報が入力装置から入力された場合に、前記画像情報に関する全ての文字情報を前記画像情報に付加した情報を生成する記録用画像生成部と、
を備えたことを特徴とする処理装置。
【請求項２】
前記記録用画像生成部は、前記画像情報と前記画像情報に関する全ての文字情報とを対応付けた記録用情報を生成することを特徴とする請求項１に記載の処理装置。
【請求項３】
前記記録用画像生成部は、前記画像情報と前記画像情報に関する全ての文字情報とを合成した記録用合成画像情報を生成することを特徴とする請求項１に記載の処理装置。
【請求項４】
前記記録用画像生成部は、前記記録用合成画像情報に、該記録用合成画像情報において前記画像情報が占める領域と前記全ての文字情報が占める領域とをそれぞれ示したレイアウト情報を対応付けた記録用情報を生成することを特徴とする請求項３に記載の処理装置。
【請求項５】
前記記録用画像生成部は、
前記画像情報と前記画像情報に関する全ての文字情報とを対応付けた記録用情報を生成する第１記録用画像生成部と、
前記画像情報と前記画像情報に関する全ての文字情報とを合成した記録用合成画像情報を生成する第２記録用画像生成部と、
を有し、
前記記録指示情報が入力された場合に、前記第１記録用画像生成部と前記第２記録用画像生成部とのいずれかを選択して前記画像情報に関する全ての文字情報を前記画像情報に付加した情報を生成させる選択部をさらに備えたことを特徴とする請求項１に記載の処理装置。
【請求項６】
前記記録指示情報が入力装置から入力された場合に、前記記録用画像生成部が生成した前記画像情報に関する全ての文字情報を前記画像情報に付加した情報を、前記記録指示情報において指示された記録装置に記録させる記録制御部をさらに備えたことを特徴とする請求項１に記載の処理装置。
【請求項７】
前記撮像装置は、当該処理装置に着脱自在に装着される内視鏡装置であることを特徴とする請求項１に記載の処理装置。
【請求項８】
画像情報と前記画像情報に付加された前記画像情報に関する全ての文字情報とを処理する処理装置であって、
処理対象の前記画像情報と前記画像情報に付加された全ての前記文字情報の少なくとも一部とを基に表示用画像情報を生成する表示用画像生成部と、
全ての前記文字情報から表示させる前記文字情報を選択し、前記表示用画像生成部に、前記表示用画像情報を生成させる画像生成制御部と、
前記表示用画像生成部が生成した前記表示用画像情報を、当該処理装置が接続する表示装置に表示させる表示制御部と、
を備えたことを特徴とする処理装置。
【請求項９】
前記処理対象の前記画像情報と前記画像情報に付加された全ての文字情報とは、前記画像情報と前記画像情報に関する全ての文字情報とが対応付けられており、
前記画像生成制御部は、画像表示時の文字の表示が設定された場合、前記表示用画像生成部に、前記全ての文字情報を前記画像情報に合成した合成画像を前記表示用画像情報として生成させ、画像表示時の文字の非表示が設定された場合、前記表示用画像生成部に、前記画像情報を前記表示用画像情報として生成させることを特徴とする請求項８に記載の処理装置。
【請求項１０】
前記画像生成制御部は、画像表示時の文字の一部表示が設定された場合には、前記表示用画像生成部に、前記全ての文字情報のうち表示が設定された文字情報を前記画像情報に合成した合成画像を前記表示用画像情報として生成させることを特徴とする請求項９に記載の処理装置。
【請求項１１】
前記処理対象の前記画像情報と前記画像情報に付加された全ての文字情報とは、前記画像情報と前記画像情報に関する全ての文字情報とを合成した記録用合成画像情報であり、
前記画像生成制御部は、画像表示時の文字の表示が設定された場合、前記表示用画像生成部に、処理対象の前記記録用合成画像情報を前記表示用画像情報として生成させ、画像表示時の文字の非表示が設定された場合、前記表示用画像生成部に、処理対象の前記記録用合成画像情報の前記全ての文字情報が占める領域にマスク画像を合成した合成画像を前記表示用画像情報として生成させることを特徴とする請求項８に記載の処理装置。
【請求項１２】
前記記録用合成画像情報には、該記録用合成画像情報において前記画像情報が占める領域と前記全ての文字情報が占める領域とをそれぞれ示したレイアウト情報が対応付けられており、
前記画像生成制御部は、画像表示時の文字の非表示が設定された場合には、前記表示用画像生成部に、前記記録用合成画像情報に対して、前記レイアウト情報で示された前記全ての文字情報が占める領域にマスク画像を合成した前記表示用画像情報を生成させることを特徴とする請求項１１に記載の処理装置。
【請求項１３】
前記画像生成制御部は、画像表示時の文字の一部表示が設定された場合には、前記表示用画像生成部に、前記記録用合成画像情報に対して、前記レイアウト情報で示された前記全ての文字情報が占める領域のうち一部表示が設定された文字情報が占める領域以外の領域にマスク画像を合成した前記表示用画像情報を生成させることを特徴とする請求項１２に記載の処理装置。
【請求項１４】
前記処理対象の前記画像情報と前記画像情報に付加された全ての文字情報とは、前記画像情報と前記画像情報に関する全ての文字情報とを対応付けた第１の形態、或いは、前記画像情報と前記画像情報に関する全ての文字情報とを合成した記録用合成画像情報の第２の形態を有し、
前記処理対象の前記画像情報と前記画像情報に付加された全ての文字情報との形態が前記第１の形態と前記第２の形態とのいずれであるかを判別する判別部をさらに備え、
前記画像生成制御部は、
前記判別部によって前記処理対象の前記画像情報と前記画像情報に付加された全ての文字情報との形態が前記第１の形態であると判別された場合、画像表示時の文字の表示が設定されたときには、前記表示用画像生成部に、前記全ての文字情報を前記画像情報に合成した合成画像を前記表示用画像情報として生成させ、画像表示時の文字の非表示が設定されたときには、前記表示用画像生成部に、前記画像情報を前記表示用画像情報として生成させる第１画像生成制御部と、
前記判別部によって前記処理対象の前記画像情報と前記画像情報に付加された全ての文字情報との形態が前記第２の形態であると判別された場合、画像表示時の文字の表示が設定されたときには、前記表示用画像生成部に、前記処理対象の記録用合成画像情報を前記表示用画像情報として生成させ、画像表示時の文字の非表示が設定されたときには、前記表示用画像生成部に、前記処理対象の記録用合成画像情報の前記全ての文字情報が占める領域にマスク画像を合成した合成画像を前記表示用画像情報として生成させる第２画像生成制御部と、
を備えたことを特徴とする請求項８に記載の処理装置。
【請求項１５】
前記処理対象の前記画像情報は、撮像素子を備えた内視鏡装置によって撮像された撮像信号に基づく画像情報であることを特徴とする請求項８に記載の処理装置。
【請求項１６】
被写体を撮像する撮像装置から入力される撮像信号に基づいて画像情報を生成する画像情報生成部と、
前記画像情報生成部が生成した前記画像情報に関する全ての文字情報を生成する文字情報生成部と、
前記画像情報生成部が生成した前記画像情報の記録を指示する記録指示情報が入力装置から入力された場合に、前記画像情報に関する全ての文字情報を前記画像情報に付加した情報を生成する記録用画像生成部と、
前記画像情報生成部が生成した前記画像情報及び前記文字情報生成部が生成した前記文字情報、または、前記記録用画像生成部が生成した前記画像情報に関する全ての文字情報を前記画像情報に付加した情報、を基に表示用画像情報を生成する表示用画像生成部と、
前記表示用画像生成部における前記表示用画像情報の生成を制御する画像生成制御部と、
を備えたことを特徴とする処理装置。
【請求項１７】
被写体を撮像する撮像装置から入力される撮像信号を処理する処理装置が実行する処理方法であって、
画像情報生成部が、前記撮像信号に基づいて画像情報を生成する画像情報生成処理と、
文字情報生成部が、前記画像情報生成処理において生成された前記画像情報に関する全ての文字情報を生成する文字情報生成処理と、
画像生成制御部が、前記画像情報生成処理において生成された前記画像情報と前記文字情報生成処理において生成された前記文字情報とを基に表示用画像情報を生成する表示用画像生成部に対して、前記画像情報に対する前記文字情報の合成を制御する画像生成制御処理と、
記録用画像生成部が、前記画像情報生成処理において生成された前記画像情報の記録を指示する記録指示情報が入力装置から入力された場合に、前記画像情報に関する全ての文字情報を前記画像情報に付加した情報を生成する記録用画像生成処理と、
を含むことを特徴とする処理方法。
【請求項１８】
画像情報と前記画像情報に付加された前記画像情報に関する全ての文字情報とを処理する処理装置が実行する処理方法であって、
画像生成制御部が、処理対象の前記画像情報と画像情報に付加された全ての文字情報とを基に表示用画像情報を生成する表示用画像生成部に対して、画像表示時の文字の表示或いは非表示の設定に対応した前記表示用画像情報を生成させる表示用画像生成制御処理と、
表示制御部が、前記表示用画像生成制御処理において生成された前記表示用画像情報を、当該処理装置が接続する表示装置に表示させる表示制御処理と、
を含むことを特徴とする処理方法。
【請求項１９】
被写体を撮像する撮像装置から入力される撮像信号を処理する処理装置に、
画像情報生成部が、前記撮像信号に基づいて画像情報を生成する画像情報生成手順と、
文字情報生成部が、前記画像情報生成手順において生成された前記画像情報に関する全ての文字情報を生成する文字情報生成手順と、
画像生成制御部が、前記画像情報生成手順において生成された前記画像情報と前記文字情報生成手順において生成された前記文字情報とを基に表示用画像情報を生成する表示用画像生成部に対して、前記画像情報に対する前記文字情報の合成を制御する画像生成制御手順と、
記録用画像生成部が、前記画像情報生成手順において生成された画像情報の記録を指示する記録指示情報が入力装置から入力された場合に、前記画像情報に関する全ての文字情報を前記画像情報に付加した情報を生成する記録用画像生成手順と、
を実行させることを特徴とする処理プログラム。
【請求項２０】
画像情報と前記画像情報に付加された該画像情報に関する全ての文字情報とを処理する処理装置に、
画像生成制御部が、処理対象の前記画像情報と前記画像情報に付加された全ての文字情報とを基に表示用画像情報を生成する表示用画像生成部に対して、画像表示時の文字の表示或いは非表示の設定に対応した前記表示用画像情報を生成させる表示用画像生成制御手順と、
表示制御部が、前記表示用画像生成制御手順において生成された前記表示用画像情報を、当該処理装置が接続する表示装置に表示させる表示制御手順と、
を実行させることを特徴とする処理プログラム。
【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
被写体を撮像する撮像装置から入力される撮像信号に基づいて画像情報を生成する画像情報生成部と、
前記画像情報生成部が生成した前記画像情報に関する全ての文字情報を生成する文字情報生成部と、
前記画像情報及び前記全ての文字情報を基に表示用画像情報を生成する表示用画像生成部と、
前記表示用画像生成部が前記表示用画像情報を生成する際に、前記画像情報に合成して表示させる前記文字情報を前記全ての文字情報から選択して前記文字情報の生成を制御する画像生成制御部と、
前記画像情報生成部が生成した前記画像情報の記録を指示する記録指示情報が入力装置から入力された場合、前記画像生成制御部における前記文字情報の選択の有無に関わらず、前記表示用画像生成部が前記表示用画像情報を生成する際に用いた前記画像情報と、前記画像情報に関する全ての文字情報とを対応付けた記録用情報を生成する記録用画像生成部と、
を備えたことを特徴とする内視鏡プロセッサ。
【請求項２】
前記記録用画像生成部は、前記画像情報と前記画像情報に関する全ての文字情報とを合成した記録用合成画像情報を生成することを特徴とする請求項１に記載の内視鏡プロセッサ。
【請求項３】
前記記録用画像生成部は、前記記録用合成画像情報に、該記録用合成画像情報において前記画像情報が占める領域と前記全ての文字情報が占める領域とをそれぞれ示したレイアウト情報を対応付けた情報を生成することを特徴とする請求項２に記載の内視鏡プロセッサ。
【請求項４】
前記記録用画像生成部は、
前記記録用情報を生成する第１記録用画像生成部と、
前記画像情報と前記画像情報に関する全ての文字情報とを合成した記録用合成画像情報を生成する第２記録用画像生成部と、
を有し、
前記記録指示情報が入力された場合に、前記第１記録用画像生成部及び前記第２記録用画像生成部のいずれかを選択して前記記録用情報または前記記録用合成画像情報を生成させる選択部をさらに備えたことを特徴とする請求項１に記載の内視鏡プロセッサ。
【請求項５】
前記記録指示情報が入力装置から入力された場合に、前記記録用情報を、前記記録指示情報において指示された記録装置に記録させる記録制御部をさらに備えたことを特徴とする請求項１に記載の内視鏡プロセッサ。
【国際調査報告】
2017026277.tif 000028
2017026277.tif 000029
2017026277.tif 000030
2017026277.tif 000031